(57)【要約】本発明に係る内容物通過装置は、内容物を移動案内するための通過作動部；前記通過作動部に回動可能に備えられて内容物が通過するように運動する通過運動部；および前記通過作動部に備えられ、前記通過運動部の一端の自由回動運動によって吐出される内容物を感知する感知部を含み、前記感知部は前記感知した内容物の情報を検出することを特徴とする。【選択図】図１４
2020528853.tif 000002
【特許請求の範囲】
【請求項１】
内容物を移動案内するための通過作動部；
前記通過作動部に回動可能に備えられて内容物が通過するように運動する通過運動部；および
前記通過作動部に備えられ、前記通過運動部の一端の回動運動によって吐出される内容物を感知する感知部を含み、
前記感知部は前記感知した内容物の情報を検出することを特徴とする、通過装置。
【請求項２】
前記通過運動部は、設定量を超過する内容物の通過を妨害する閉鎖部材をさらに含むことを特徴とする、請求項１に記載の通過装置。
【請求項３】
前記感知部は、前記通過運動部の回動運動によって吐出される内容物の方向に光を放出する少なくとも一つの発光部、前記発光部から放出された光を受光する少なくとも一つの受光部、および前記発光部から放出された後前記受光部により受信された光を利用して前記通過作動部を通じて吐出される内容物を感知するセンシング制御部を含むことを特徴とする、請求項１に記載の通過装置。
【請求項４】
前記感知部は前記通過運動部の回動運動によって吐出される内容物を感知する少なくとも一つの送信部、少なくとも一つの受信部およびセンシング制御部を含むことを特徴とする、請求項１に記載の通過装置。
【請求項５】
前記感知部により検出された内容物情報を保存する保存部をさらに含むことを特徴とする、請求項３に記載の通過装置。
【請求項６】
前記保存部に保存された情報に基づいて内容物の期間別累積吐出量を計算する測定部をさらに含むことを特徴とする、請求項５に記載の通過装置。
【請求項７】
前記感知部により検出された内容物情報、前記保存部に保存された情報、または前記測定部によって計算された情報を出力するディスプレイ部をさらに含むことを特徴とする、請求項６に記載の通過装置。
【請求項８】
前記感知部により検出された内容物情報、前記保存部に保存された情報、または前記測定部によって計算された情報を有線または無線通信を通じて外部装置に伝送する通信部をさらに含むことを特徴とする、請求項６に記載の通過装置。
【請求項９】
前記センシング制御部は、前記保存部に保存された情報に基づいて前記内容物の期間別累積吐出量が期間別設定量を超過するか足りないかを判断することを特徴とする、請求項５に記載の通過装置。
【請求項１０】
前記センシング制御部は、内容物によって反射された光の受信が中断されると、前記通過作動部によって内容物が吐出されたものと判断することを特徴とする、請求項３に記載の通過装置。
【請求項１１】
前記感知部は前記通過装置の傾きを感知する傾きセンサをさらに含むものの、前記センシング制御部は前記傾きセンサによって感知した容器の傾きが既設定された設定傾き以内であるか否かにより、前記通過運動部によって内容物が吐出されたものと判断することを特徴とする、請求項３に記載の通過装置。
【請求項１２】
前記センシング制御部は、前記傾きセンサによって感知したハウジングの傾きが既設定された設定傾き以内である状態で、内容物に反射された電波が前記受信部によって電波が受信されないと内容物が吐出されたものと判断し、前記傾きセンサによって感知したハウジングの傾きが既設定された設定傾きから外れた状態で、内容物に反射された電波が前記受信部によって電波が受信されないと内容物が吐出されていないものと判断することを特徴とする、請求項１１に記載の通過装置。
【請求項１３】
前記発光部と前記受光部は前記通過運動部を中心に両側にそれぞれ設置されることを特徴とする、請求項３に記載の通過装置。
【請求項１４】
前記センシング制御部は、前記発光部によって発光された後内容物に反射されて前記受光部により受光される光の光量の変化により、前記通過作動部によって内容物が吐出されたものと判断することを特徴とする、請求項３に記載の通過装置。
【請求項１５】
前記センシング制御部は、前記受光部に受光される光量の変化量が前記設定変化量以上であれば前記通過作動部によって内容物が通過したと判断することを特徴とする、請求項１４に記載の通過装置。
【請求項１６】
前記センシング制御部は、前記受光部により光量の変化量が既設定された設定変化量以上の状態となった後、光量の変化量が既設定された設定変化量以上に変化する前の状態となると前記通過作動部によって内容物が吐出されたものと判断することを特徴とする、請求項１４に記載の通過装置。
【請求項１７】
ハウジングの傾きを感知する傾きセンサをさらに含むものの、
前記センシング制御部は前記傾きセンサによって感知したハウジングの傾きが既設定された設定傾き以内であるか否かにより、前記通過作動部によって内容物が吐出されたものと判断することを特徴とする、請求項１６に記載の通過装置。
【請求項１８】
前記センシング制御部は前記傾きセンサによって感知したハウジングの傾きが既設定された設定傾き以内である状態で、光量の変化量が設定変化量以上の状態となると内容物が吐出されたものと判断し、前記傾きセンサによって感知したハウジングの傾きが既設定された設定傾きから外れた状態で、光量の変化量が既設定された設定変化量以上の状態となると内容物が吐出されていないものと判断することを特徴とする、請求項１７に記載の通過装置。
【請求項１９】
前記センシング制御部は前記受光部により受光された光量が既設定された設定光量以上の状態となった後、設定光量未満の状態となると前記通過作動部によって内容物が吐出されたものと判断することを特徴とする、請求項３に記載の通過装置。
【請求項２０】
ハウジングの傾きを感知する傾きセンサをさらに含むものの、
前記センシング制御部は前記傾きセンサによって感知したハウジングの傾きが既設定された設定傾き以内であるか否かにより、前記通過作動部によって内容物が吐出されたものと判断することを特徴とする、請求項１９に記載の通過装置。
【請求項２１】
前記センシング制御部は前記傾きセンサによって感知したハウジングの傾きが既設定された設定傾き以内である状態で、光量が設定光量未満の状態となると内容物が吐出されたものと判断し、前記傾きセンサによって感知したハウジングの傾きが既設定された設定傾きから外れた状態で、光量が設定光量未満の状態となると内容物が吐出されていないものと判断することを特徴とする、請求項２０に記載の通過装置。
【請求項２２】
出力部；および
感知部から服薬状態情報の伝達を受け、服薬管理サーバーから服薬スケジュール情報の伝達を受けて、前記服薬スケジュール情報と前記服薬状態情報を利用してユーザーに対する服薬指導情報を生成した後、前記出力部に出力する服薬案内端末制御部を含み、
前記出力部は前記服薬指導情報を映像または音声で出力することを特徴とする、服薬管理装置。
【発明の詳細な説明】
【技術分野】
【０００１】
本発明は内容物通過装置に関し、さらに詳細には収容器具から吐出される内容物の吐出を感知し、ユーザーの定量服薬が行われ得るように管理する通過装置および服薬管理装置に関する。
【背景技術】
【０００２】
一般的に消化剤、ビタミン剤、菓子類などの医薬品、健康補助食品および食品類は固形物、粉末または液状の内容物で、工具および器具などは固形物である内容物（以下、「内容物」という）の形態で製造される。
【０００３】
医薬品および食品類の内容物はその効能が最大限に発揮され得るようにすることはもちろん、過用や中毒を防ぐために定量または必要量を服用することになる。
【０００４】
このような内容物は所定の保管容器に収容させた状態で販売されるが、従来の内容物保管容器は多数の内容物が収容される容器本体と、この容器本体の投入口に開閉可能に結合されるキャップを含む構造を有する。
【０００５】
したがって、内容物の服用や摂取のためには、容器本体からキャップを開放させた後、容器本体内に収容された内容物を手の平または蓋上に引き出して服用することになる。
【０００６】
前記した技術構成は本発明の理解を助けるための背景技術であって、本発明が属する技術分野で広く知られている従来技術を意味するものではない。
【０００７】
定量排出容器については国内公開特許公報第１０−２０１２−００９６７９８号（発明の名称：錠剤定量排出キャップ）に提案されている。
【発明の概要】
【発明が解決しようとする課題】
【０００８】
このような定量排出容器は、ユーザーが内容物を取るために毎度容器器具のような収容器具を傾けて内容物を取り出す場合、内容物が一度にあふれ出るため内容物を１個ずつまたは必要な需要量だけ取り出し難い点がある。
【０００９】
これに伴い、従来には収容器具から定量が吐出されるようにする装置が開示されているが、収容器具から吐出される内容物の量を正確に感知することができず、その結果、正確な服薬指導が困難であったのが実情であった。
【００１０】
したがって、これを改善する必要性が要請される。
【００１１】
本発明は前記のような問題点を改善するために案出されたものであって、収容器具から吐出される内容物を正確に感知し、これに基づいてユーザーの定量服薬が行われるようにした内容物通過装置および服薬管理装置を提供するものである。
【課題を解決するための手段】
【００１２】
本発明に係る通過装置は内容物を移動案内するための通過作動部；前記通過作動部に回動可能に備えられて内容物が通過するように運動する通過運動部；および前記通過作動部に備えられ、前記通過運動部の一端の自由回動運動によって吐出される内容物を感知する感知部を含み、前記感知部は前記感知した内容物の情報を検出することを特徴とする。
【発明の効果】
【００１３】
本発明の一側面に係る通過装置は内容物の吐出を正確に感知し、これに基づいてユーザーの定量服薬が行われるようにする。
【図面の簡単な説明】
【００１４】
【図１】本発明の第１実施例に係る通過装置を具備する内容物移動器具の斜視図。
【図２】本発明の第１実施例に係る通過装置を具備する内容物移動器具の分解斜視図。
【図３】本発明の第１実施例に係る通過装置を具備する内容物移動器具の側断面図。
【図４】本発明の第１実施例に係る通過装置の傾き状態を示した主要部を示した図面。
【図５】本発明の第１実施例に係る通過装置を具備する内容物移動器具のハウジングを傾ける時に内容物通過手段が初期状態を維持している断面図。
【図６】本発明の第１実施例に係る内容物通過手段が内容物の押圧力によって運動が開始される状態を示した断面図。
【図７】本発明の第１実施例に係る内容物通過手段が内容物の押圧力によって運動する状態を示した断面図。
【図８】本発明の第１実施例に係る内容物通過手段が内容物の押圧力によって運動する状態を示した断面図。
【図９】本発明の第１実施例に係る内容物通過手段が内容物を吐出した状態を図示した図面。
【図１０】本発明の第１実施例に係る通過装置を具備する内容物移動器具の使用状態を示した断面図。
【図１１】本発明の第１実施例に係る通過装置を具備する内容物移動器具の正断面図。
【図１２】本発明の第１実施例に係る通過装置を具備する内容物移動器具の底面断面図。
【図１３】本発明の第１実施例に係る通過装置を具備する内容物移動器具の使用後に初期状態に復帰する状態を示した断面図。
【図１４】本発明の第１実施例に係るセンサ部の設置構造の一例を図示した断面図。
【図１５】本発明の第２実施例に係る通過装置を具備する内容物移送器具の断面図。
【図１６】本発明の第３実施例に係る通過装置を具備する内容物移送器具の断面図。
【図１７】本発明の第４実施例に係る通過装置を具備する内容物移送器具の断面図。
【図１８】本発明の第５実施例に係る内容物の移動を感知する通過装置のブロック構成図。
【図１９】本発明の第５実施例に係る通過装置の動作過程を図示したフローチャート。
【図２０】本発明の第６実施例に係る内容物の移動を感知する通過装置のブロック構成図。
【図２１】本発明の第６実施例に係る通過装置の動作過程を図示したフローチャート。
【図２２】本発明の第７実施例に係る内容物の移動を感知する通過装置のブロック構成図。
【図２３】本発明の第７実施例に係る通過装置の動作過程を図示したフローチャート。
【図２４】本発明の第８実施例に係る内容物の移動を感知する通過装置のブロック構成図。
【図２５】本発明の第８実施例に係る容器を傾けた時、相対的に小さくて平たい錠剤がセンサ部位を通って外部に吐出時の光量の変化を示した図面。
【図２６】本発明の第８実施例に係る容器を傾けた時、相対的に大きくて長い錠剤がセンサ部位を通って外部に吐出時の光量の変化を示した図面。
【図２７】本発明の第８実施例に係る容器を傾けた時、相対的に小さくて平たい錠剤が容器の入口の通過装置で引っかかった後容器を再び立てることによって容器の内部に再び進入する場合での光量の変化を示した図面。
【図２８】本発明の第８実施例に係る容器を傾けた時、相対的に大きくて長い錠剤が容器の入口の通過装置で引っかかった後容器を再び立てることによって容器の内部に再び進入する場合での光量の変化を示した図面。
【図２９】本発明の第８実施例に係る通過装置の動作過程を図示したフローチャート。
【図３０】本発明の第９実施例に係る服薬管理装置のブロック構成図。
【図３１】本発明の第９実施例に係る服薬管理装置の服薬案内端末のブロック構成図。
【図３２】本発明の第９実施例に係る服薬案内端末のブロック構成図。
【図３３】本発明の第９実施例に係る服薬管理装置の動作過程を図示したフローチャート。
【図３４】本発明の第９実施例に係る服薬管理装置を有するハウジングの斜視図。
【図３５】本発明の第９実施例に係る服薬管理装置の通信システム。
【図３６】本発明の第９実施例に係る服薬管理装置の通信作動図。
【図３７】本発明の第１０実施例に係る服薬管理装置のブロック構成図。
【図３８】本発明の第１０実施例に係るディスペンサーのブロック構成図。
【図３９】本発明の第１０実施例に係る基板の斜視図。
【図４０】本発明の第１０実施例に係るディスペンサーの断面図。
【図４１】本発明の第１０実施例に係るディスペンサーの内容物吐出過程を図示した図面。
【図４２】本発明の第１０実施例に係るディスペンサーの内容物吐出過程を図示した図面。
【図４３】本発明の第１０実施例に係るディスペンサーの内容物吐出過程を図示した図面。
【図４４】本発明の第１０実施例に係る管理端末のブロック構成図。
【図４５】本発明の一実施例に係る管理端末に連結されるディスペンサーの全体分解斜視図。
【図４６】本発明の一実施例に係る管理端末に連結されるディスペンサーのプラグキャップの斜視図。
【図４７】本発明の一実施例に係る管理端末に連結されるディスペンサーのプラグキャップの分解斜視図。
【発明を実施するための形態】
【００１５】
本発明に係る通過装置の一実施例では、内容物を移動案内するための通過作動部；前記通過作動部に回動可能に備えられて内容物が通過するように運動する通過運動部；および前記通過作動部に備えられ、前記通過運動部の一端の自由回動運動によって吐出される内容物を感知する感知部を含み、前記感知部は前記感知した内容物の情報を検出する。
【００１６】
本発明に係る追加的な実施例を簡単に説明すれば次の通りである。前記通過運動部は設定量を超過する内容物の通過を妨害する閉鎖部材をさらに含むことができる。本発明の前記感知部は前記通過運動部の回動運動によって吐出される内容物の方向に光を放出する少なくとも一つの発光部、前記発光部から放出された光を受光する少なくとも一つの受光部、および前記発光部から放出された後前記受光部により受信された光を利用して前記通過作動部を通じて吐出される内容物を感知するセンシング制御部を含むことができる。
【００１７】
本発明は前記感知部により検出された内容物情報を保存する保存部をさらに含むことができ、前記保存部に保存された情報に基づいて内容物の期間別累積吐出量を計算する測定部をさらに含むことができる。前記感知部により検出された内容物情報、前記保存部に保存された情報、または前記測定部によって計算された情報を出力するディスプレイ部をさらに含むことができる。
【００１８】
本発明は前記感知部により検出された内容物情報、前記保存部に保存された情報、または前記測定部によって計算された情報を有線または無線通信を通じて外部装置に伝送する通信部をさらに含むことを特徴とする。
【００１９】
本発明の前記センシング制御部は、前記保存部に保存された情報に基づいて前記内容物の期間別累積吐出量が期間別設定量を超過するか足りないかを判断することを特徴とする。
【００２０】
本発明の前記センシング制御部は、内容物によって反射された光の受信が中断されると、前記通過作動部によって内容物が吐出されたものと判断することを特徴とする。
【００２１】
本発明の前記感知部は前記通過装置の傾きを感知する傾きセンサをさらに含むものの、前記センシング制御部は前記傾きセンサによって感知した容器の傾きが既設定された設定傾き以内であるか否かにより、前記通過運動部によって内容物が吐出されたものと判断することを特徴とする。
【００２２】
本発明の前記センシング制御部は、前記傾きセンサによって感知したハウジングの傾きが既設定された設定傾き以内である状態で、内容物に反射された電波が前記受信部によって電波が受信されないと内容物が吐出されたものと判断し、前記傾きセンサによって感知したハウジングの傾きが既設定された設定傾きから外れた状態で、内容物に反射された電波が前記受信部によって電波が受信されないと内容物が吐出されていないものと判断することを特徴とする。
【００２３】
本発明の前記発光部と前記受光部は前記通過運動部を中心に両側にそれぞれ設置されることを特徴とする。
【００２４】
本発明の前記センシング制御部は、前記発光部によって発光された後内容物に反射されて前記受光部により受光される光の光量の変化により、前記通過作動部によって内容物が吐出されたものと判断することを特徴とする。
【００２５】
本発明の前記センシング制御部は、前記受光部に受光される光量の変化量が前記設定変化量以上であれば前記通過作動部によって内容物が通過したと判断することを特徴とする。
【００２６】
本発明の前記センシング制御部は、前記受光部により光量の変化量が既設定された設定変化量以上の状態となった後、光量の変化量が既設定された設定変化量以上に変化する前の状態となると前記通過作動部によって内容物が吐出されたものと判断することを特徴とする。
【００２７】
本発明はハウジングの傾きを感知する傾きセンサをさらに含むものの、前記センシング制御部は前記傾きセンサによって感知したハウジングの傾きが既設定された設定傾き以内であるか否かにより、前記通過作動部によって内容物が吐出されたものと判断することを特徴とする。
【００２８】
本発明の前記センシング制御部は、前記傾きセンサによって感知したハウジングの傾きが既設定された設定傾き以内である状態で、光量の変化量が設定変化量以上の状態となると内容物が吐出されたものと判断し、前記傾きセンサによって感知したハウジングの傾きが既設定された設定傾きから外れた状態で、光量の変化量が既設定された設定変化量以上の状態となると内容物が吐出されていないものと判断することを特徴とする。
【００２９】
本発明の前記センシング制御部は、前記受光部により受光された光量が既設定された設定光量以上の状態となった後、設定光量未満の状態となると前記通過作動部によって内容物が吐出されたものと判断することを特徴とする。
【００３０】
本発明はハウジングの傾きを感知する傾きセンサをさらに含むものの、前記センシング制御部は前記傾きセンサによって感知したハウジングの傾きが既設定された設定傾き以内であるか否かにより、前記通過作動部によって内容物が吐出されたものと判断することを特徴とする。
【００３１】
本発明の前記センシング制御部は、前記傾きセンサによって感知したハウジングの傾きが既設定された設定傾き以内である状態で、光量が設定光量未満の状態となると内容物が吐出されたものと判断し、前記傾きセンサによって感知したハウジングの傾きが既設定された設定傾きから外れた状態で、光量が設定光量未満の状態となると内容物が吐出されていないものと判断することを特徴とする。
【００３２】
本発明の一側面に係る服薬管理装置は、出力部；および感知部から服薬状態情報の伝達を受け、服薬管理サーバーから服薬スケジュール情報の伝達を受けて前記服薬スケジュール情報と前記服薬状態情報を利用してユーザーに対する服薬指導情報を生成した後、前記出力部に出力する服薬案内端末制御部を含み、前記出力部は前記服薬指導情報を映像または音声で出力することを特徴とする。
【００３３】
本発明のさらに他の実施例に係る通過装置の通過運動部は、内容物の通過方向に回動して内容物の通過空間を形成する開放部材を含む。前記通過運動部は、接触する前記内容物の自重によって前記内容物が通過する方向に回転され、設定量の前記内容物が通過することを許容することができる。
【００３４】
前記通過作動部は、内容物を通過させるために開放部を形成する固定部材および内容物が前記内容物通過手段側に流入案内されるように前記固定部材から延びる移動案内部を含む。
【００３５】
前記通過作動部は前記内容物を収納するハウジングに分離可能に備えられ、前記移動案内部は隣接した前記ハウジングの内側面に接するかまたは近接するように前記移動案内部から延びて前記内容物を前記開放部側に案内する内容物誘導部を含む。
【００３６】
前記内容物誘導部は前記ハウジングの内周面に沿って形成され得る。
【００３７】
前記移動案内部は、前記ハウジングの内周面に沿って形成されて前記ハウジングに保存された内容物が前記開放部側に移動案内されるように前記固定部材から延びるカバー部を含む。
【００３８】
本発明に係る通過装置は内容物を保存するハウジングおよび前記ハウジングの内側に備えられて内容物を移動案内するための通過作動部を含む。
【００３９】
前記ハウジングを傾ける場合、前記ハウジングに保存された前記内容物が前記通過作動部側に一つまたは定量吐出案内されるように、前記内容物の移動方向と移動状態を設定するために前記ハウジングに形成される内容物誘導部を含む。
【００４０】
前記通過作動部は、内容物が移動されるようにする内容物通過手段を含み、前記内容物通過手段は、運動による開放によって内容物が通過するようにする通過運動部を含む。
【００４１】
前記通過運動部は、内容物の通過方向に運動して内容物の通過空間を形成する開放部材；および前記開放部材に連動して前記内容物が通過できないか部分的にのみ通過するように開放部の少なくとも一部を閉鎖する閉鎖部材を含み、前記閉鎖部材は前記開放部材に連動して前記開放部の少なくとも一部を閉鎖することにより、定量を超過する内容物が前記開放部を通過することを防止することができる。
【００４２】
前記通過作動部は、内容物を通過させるために前記開放部を形成する固定部材；および内容物が前記内容物通過手段側に流入案内されるようにする移動案内部を含み、前記ハウジングは、前記固定部材が置かれ、前記内容物誘導部を通じて前記内容物を前記移動案内部側に移動案内することができる。
【００４３】
前記ハウジングは、前記固定部材が置かれ、前記内容物が前記移動案内部側に移動案内されるように形成される縮径部；および前記内容物を初期に設定量だけ保存できるように前記縮径部より内部空間が大きい拡径部を含む。
【００４４】
前記固定部材は前記移動案内部を分離可能に結合することができる。
【００４５】
前記内容物誘導部は前記ハウジングで円周の軌跡に沿って内側に膨らんで曲率を有して形成され得る。
【００４６】
前記内容物誘導部は、前記拡径部または前記縮径部に形成されて前記内容物の移動を案内することができる。
【００４７】
前記通過作動部は内容物の通過を案内する開放部を形成し、前記開放部が前記内容物誘導部側に開放されるように形成されるように、前記通過作動部は供給案内進入部を形成し、前記ハウジングに保存された内容物は前記内容物誘導部に沿って前記供給案内進入部を通じて前記開放部側に移動することができる。
【００４８】
前記通過作動部は、内容物が移動されるようにする内容物通過手段を含み、前記内容物通過手段は、回動運動による開放によって内容物が通過するようにする通過運動部を含み、前記通過運動部は、運動部材を基準として前記開放部でテコの原理を利用して往復回動して前記開放部を開閉することができる。
【００４９】
前記通過運動部は、テコ運動の重心の平衡設定のための運動制御部材を含む。
【００５０】
前記ハウジングは前記内容物誘導部に沿って移動する前記内容物を設定量だけ前記通過作動部側に流入案内するために通過器具のネック部を形成することができる。
【００５１】
前記通過運動部は、前記内容物の通過方向に運動して内容物の通過空間を形成する開放部材を含み、前記通過器具のネック部は前記内容物が前記開放部材側に移動案内されるように前記ハウジングに形成され得る。
【００５２】
前記ハウジングまたは前記通過作動部は前記内容物通過手段が重さ平衡を調節したまま回動し、前記内容物の通過を案内できるように空間を確保するための通過器具拡張部を形成することができる。
【００５３】
前記通過作動部は、内容物を通過させるために開放部を形成し、内容物の設定量の移動を許容する内容物通過手段を前記開放部に具備する固定部材；および前記固定部材に分離可能に結合され、前記ハウジングの内容物吐出側に分離可能に結合され、前記内容物の吐出を許容するインナーキャップを含み、前記インナーキャップが前記ハウジングから分離時、前記固定部材は前記インナーキャップに結合されたまま前記ハウジングから分離され得る。
【００５４】
前記インナーキャップはリング状とされ、前記固定部材は前記インナーキャップの内側面に分離可能に結合されるために縁部を形成することができる。
【００５５】
前記インナーキャップまたは前記ハウジングはアウターキャップを分離可能に具備することができる。
【００５６】
前記インナーキャップまたは前記ハウジングはアウターキャップをヒンジ連結することができる。
【００５７】
本発明に係る通過装置は：開放部を有する内容物の移動を案内するための通過作動部を含み、前記通過作動部は、内容物が移動されるようにする内容物通過手段を含み、前記内容物通過手段は、運動による開放によって内容物が通過するようにする通過運動部を含み、前記内容物が前記ハウジングの内側面に沿って前記通過作動部の周面から前記開放部に進入できるように、前記通過作動部は供給案内進入部を形成することができる。
【００５８】
前記通過運動部は、前記開放部にシーソー運動可能に備えられ、前記通過作動部は、前記シーソー運動によって、前記通過作動部が設定角度以内に傾く場合、初期状態を維持して前記開放部を開放しないようにすることができる。
【００５９】
前記設定角度は、前記開放部を形成した内容物移動器具が立てられた初期状態から１８０度を超過しない傾き角度に設定することができる。
【００６０】
前記通過運動部は、内容物の通過方向に運動して内容物の通過空間を形成する開放部材を含み、前記開放部を形成した内容物移動器具が設定角度以内に傾く場合、傾く方向の反対側への重さ偏りにより前記開放部材が前記開放部を閉鎖する状態を維持することができる。
【００６１】
前記通過運動部は回転中心である運動部材を基準として左側または右側にテコの重さ偏り現象によってシーソー運動をすることができる。
【００６２】
前記通過運動部は、前記開放部を形成した内容物移動器具が傾いた待機状態で、回転中心である運動部材を基準として閉鎖部材側に重さ偏りとなり、前記閉鎖部材がストッパーに係止されることによって前記閉鎖部材が前記開放部を閉鎖せずに開放する状態を維持することができる。
【００６３】
前記内容物が前記通過運動部を押圧する力または前記内容物が前記通過運動部を押圧する力と前記通過運動部の自重によって前記開放部を開放して内容物が設定量だけ通過案内され得る。
【００６４】
前記通過運動部は、前記開放部を形成した内容物移動器具が傾く場合、前記開放部側に流入する内容物の重さが加重されて回転中心である運動部材を基準として回動して前記開放部を開放することができる。
【００６５】
前記通過運動部は、前記開放部材に連動して前記内容物が通過できないか部分的にのみ通過するように前記開放部の少なくとも一部を閉鎖する閉鎖部材を含む。
【００６６】
前記通過運動部は、前記通過作動部が設定角度以内に回動時に前記内容物が接触しない場合、ストッパーによって初期状態を維持することができる。
【００６７】
前記閉鎖部材が前記開放部を開放した状態で、前記内容物が設定量だけ前記閉鎖部材と前記開放部材の間に進入時、前記通過運動部に自重を付加して前記通過運動部が回転することができる。
【００６８】
前記通過運動部は、前記開放部材と前記閉鎖部材の間の底部材に接触した前記内容物との摩擦または前記内容物による前記開放部材の押圧力によって前記内容物と共に移動することができる。
【００６９】
本発明に係る通過装置は：開放部を有する内容物の移動を案内するための通過作動部を含み、前記通過作動部は、内容物が移動されるようにする内容物通過手段を含み、前記内容物通過手段は、回動運動による開放によって内容物が通過するようにする通過運動部を含み、前記通過運動部は、運動部材を基準として前記開放部でテコの原理を利用して往復回動して前記開放部を開閉することができる。
【００７０】
前記通過運動部は、前記通過作動部が設定角度以内に回動時、自重によって前記開放部を閉鎖した状態を維持し、内容物の押圧力または前記内容物が前記通過運動部を押圧する力と前記通過運動部の自重によって前記開放部を順次開閉しながら前記内容物を設定量だけ通過案内することができる。
【００７１】
前記通過運動部は、前記通過作動部が傾く場合、前記通過運動部の自重によって前記通過作動部の傾きを超過して傾くことを抑制する平衡部を含む。
【００７２】
前記通過運動部は、内容物の通過方向に運動して内容物の通過空間を形成する開放部材を含む。
【００７３】
前記通過運動部は、前記開放部材に連動して前記内容物が通過できないか部分的にのみ通過するように前記開放部の少なくとも一部を閉鎖する閉鎖部材を含む。
【００７４】
設定量だけの内容物が前記開放部材に接触する前までは重さ平衡によって前記通過運動部の自重による回動が発生しないように前記通過作動部の形状が備えられ得る。
【００７５】
前記通過運動部は、テコ運動の重心の平衡設定のための運動制御部材をさらに含む。
【００７６】
本発明に係るバルブは：内容物を通過誘導する通過装置であって、内容物を通過させる通過作動部を含み、前記通過作動部は、内容物が移動されるようにする内容物通過手段を含む。
【００７７】
本発明に係る内容物移動器具は：内容物を入れる内容物移動器具に備えられて内容物を通過誘導する通過装置；および少なくとも一側に開放されるハウジングを含み、前記通過装置は内容物を通過させるための通過作動部を含み、前記通過作動部は、内容物が移動されるようにする内容物通過手段を含む。
【００７８】
本発明に係る内容物移動器具は：内容物を保存するハウジング；および前記ハウジングの内容物を移動案内するための通過作動部を含む。
【００７９】
前記通過作動部は、内容物が移動されるようにする内容物通過手段を含む。
【００８０】
前記内容物通過手段は、運動による開放によって内容物が通過するようにする通過運動部を含む。
【００８１】
前記通過運動部は、内容物の通過方向に運動して内容物の通過空間を形成する開放部材を含む。
【００８２】
前記通過運動部は、接触する前記内容物の自重によって前記内容物が通過する方向に回転され、設定量の前記内容物が通過することを許容することができる。
【００８３】
前記通過作動部は、内容物を通過させるために開放部を形成し、前記ハウジングに分離可能に備えられる固定部材；および前記ハウジングの内容物が前記内容物通過手段側に流入案内されるようにする移動案内部を含む。
【００８４】
前記移動案内部は、隣接した前記ハウジングの内側面に接するかまたは近接するように延びて前記内容物を前記開放部側に案内する内容物誘導部を含む。
【００８５】
前記内容物誘導部は前記ハウジングの内周面に沿って形成され得る。
【００８６】
前記通過作動部は前記ハウジングに分離可能に備えられ、前記移動案内部は前記ハウジングに形成され得る。
【００８７】
本発明に係る収容器具は：内容物を入れる収容器具に備えられ、内容物を通過誘導する通過装置；および少なくとも一側に開放されるハウジングを含み、前記通過装置は内容物を通過させるための通過作動部を含み、前記通過作動部は、内容物が移動されるようにする内容物通過手段を含む。
【００８８】
本発明に係る内容物器具は：内容物を含み、内容物を通過誘導する通過装置；および少なくとも一側に開放されるハウジングを含み、前記通過装置は、内容物を通過させるための通過作動部を含み、前記通過作動部は、内容物が移動されるようにする内容物通過手段を含む。
【００８９】
以下、添付された図面を参照して本発明の一実施例に係る通過装置および服薬管理装置を説明する。この過程で図面に図示された線の厚さや構成要素の大きさなどは説明の明瞭性と便宜上誇張して図示され得る。また、後述される用語は本発明での機能を考慮して定義された用語であって、これは作業者、運用者の意図または慣例により変わり得る。したがって、このような用語についての定義は本明細書の全般に亘った内容に基づいて下されるべきである。
【００９０】
図１は本発明の第１実施例に係る通過装置を具備する内容物移動器具の斜視図であり、図２は本発明の第１実施例に係る通過装置を具備する内容物移動器具の分解斜視図である。
【００９１】
図３は本発明の第１実施例に係る通過装置を具備する内容物移動器具の側断面図であり、図４は本発明の第１実施例に係る通過装置の傾き状態を示した主要部を示した図面であり、図５は本発明の第１実施例に係る通過装置を具備する内容物移動器具のハウジングを傾ける時に内容物通過手段が初期状態を維持している断面図であり、図６は本発明の第１実施例に係る内容物通過手段が内容物の押圧力によって運動が開始される状態を示した断面図である。
【００９２】
図７は本発明の第１実施例に係る内容物通過手段が内容物の押圧力によって運動する状態を示した断面図であり、図８は本発明の第１実施例に係る内容物通過手段が内容物の押圧力によって運動する状態を示した断面図であり、図９は本発明の第１実施例に係る内容物通過手段が内容物が吐出された状態を図示した図面であり、図１０は本発明の第１実施例に係る通過装置を具備する内容物移動器具の使用状態を示した断面図であり、図１１は本発明の第１実施例に係る通過装置を具備する内容物移動器具の正断面図であり、図１２は本発明の第１実施例に係る通過装置を具備する内容物移動器具の底面断面図であり、図１３は本発明の第１実施例に係る通過装置を具備する内容物移動器具の使用後に初期状態に復帰する状態を示した断面図であり、図１４は本発明の第１実施例に係るセンサ部の設置構造の一例を図示した断面図である。
【００９３】
図１〜図１４に図示された通り、本発明の第１実施例に係る通過装置１００を具備する内容物移動器具１はハウジング１１０、通過作動部１２０および通過器具進入部１１９を含む。
【００９４】
ハウジング１１０は内容物５を保存する容器であって、内側に通過作動部１２０を具備し、通過器具進入部１１９を形成する。
【００９５】
ここで、内容物５は固形物、粉末または液状などのように内容物通過手段１２３を通過可能なものとする。
【００９６】
この時、ハウジング１１０は通過作動部１２０の以前に該当する内容物５を保存する部位である通過以前部１１３を形成する。併せて、ハウジング１１０は内容物５が通過作動部１２０を通過した後の空間に待機収納部１１５を形成することができる。
【００９７】
すなわち、通過以前部１１３は内容物を保管するハウジング１１０の内部の空間であり、待機収納部１１５は内容物５を引き出し待機するための空間または開放側を意味する。
【００９８】
通過作動部１２０に形成される開放部１２２を通じて通過以前部１１３と待機収納部１１５が一部通じるようになり、開放部１２２を通じて通過以前部１１３の内容物５が待機収納部１１５に移動することができる。
【００９９】
したがって、通過作動部１２０はハウジング１１０の内側に備えられて内容物５を移動案内する役割をする。通過作動部１２０は内容物５を定量または需要量だけ移動を誘導する役割をする。ここで、「定量」は同じ個数や量、および誤差、許容範囲内で互いに異なる移動量や個数を意味する。「需要量」はユーザーが必要とする量（個数）であって、「定量」の範疇に含まれ得る。
【０１００】
特に、通過作動部１２０は内容物通過手段１２３および通過通路部１３９を含む。
【０１０１】
内容物通過手段１２３は内容物５が通過以前部１１３側から待機収納部１１５側に通過するように許容する役割をする。
【０１０２】
特に、内容物通過手段１２３は通過運動部１４０を含む。
【０１０３】
通過運動部１４０は運動による開放によって内容物５が通過するようにする役割をする。
【０１０４】
すなわち、通過運動部１４０は開放部材１２４に連動して開放された開放部１２２を閉鎖する役割をする。ここで、通過運動部１４０は閉鎖部材１２７と開放部材１２４を含む。
【０１０５】
例えば一個の内容物が定量である一実施例において、一個の内容物５が通過通路部１３９の前方を通過する時、他の個々の内容物５が前方通過内容物５の後ろに隣接して通過通路部１３９の後方を通過し、後方通過内容物５が移動して閉鎖部材１２７と接触する。
【０１０６】
この時、閉鎖部材１２７は折り曲げられて構成され、閉鎖部材１２７の閉鎖部材折り曲げ部１２７ｂは線形に折れ曲がるか曲面に形成され得る。
【０１０７】
閉鎖部材１２７が折れ曲がる閉鎖部材折り曲げ部１２７ｂの角度は需要量以外の内容物が通過作動部１２０の内部に進入できないように直角に近い急な傾斜で構成され得る。もちろんその他の多様な角度への折り曲げが可能である。
【０１０８】
この後、閉鎖部材１２７が開放部１２２の少なくとも一部を閉鎖することにより、定量を超過して内容物５が開放部１２２に流入することを防止する。
【０１０９】
特に、図３でのように、ハウジング１１０が底に立てられた初期状態として、通過運動部１４０の重さ平衡の力の作用または通過運動部１４０がストッパー１２９により、開放部材１２４が開放部１２２を閉鎖している状態を維持することができる。
【０１１０】
すなわち、図３に図示されているように、通過運動部１４０は開放部材１２４の自重によって運動部材１２５を基準として時計回り方向に回転しようとする力が作用するが、ストッパー１２９が通過運動部１４０の時計回り方向の回転を防止する。
【０１１１】
一般的な容器保管状態であるハウジング１１０が立てられている状態で、開放部材１２４が開放部１２２を閉鎖することによって、空気やホコリなどの外部の物質が開放部１２２を通じてハウジング１１０の内部に入ることが抑制される。
【０１１２】
併せて、図３でのように、ハウジング１１０が立てられた（０度回転状態）初期状態で、通過運動部１４０は重さ平衡状態で移動しようとする力の作用によって、時計回り方向に回転しようとする右側への重さ偏り作用がストッパー１２９により抑制されることにより重さ平衡状態（停止状態）が維持される。特に、通過運動部１４０が右側の重さ偏り状態である場合、左側上端のストッパー１２９が通過運動部１４０の時計回り方向の回転を抑制する。
【０１１３】
もちろん、ストッパー１２９は多様な形状と位置に変化可能である。
【０１１４】
図３は立てられている容器状態である初期状態で後述するセンサ部５１０が作動しないようにすることができる。センサ部５１０が作動し続けられると電源の損失が発生するため、電力量を減少させるために別途の傾きセンサ５３０を装着して、この傾きセンサ５３０が作動時にセンサ部５１０を待機状態から作動状態に切り替えるようにすることが可能である。
【０１１５】
センサ部５１０と傾きセンサ５３０については後述する。
【０１１６】
図４は、ハウジング１１０が内容物５の通過を案内するために傾くことによる、通過運動部１４０の状態を図示したものである。特に、通過運動部１４０は運動部材１２５を基準Ｃに両方向回動（運動）される。
【０１１７】
また、図５はハウジング１１０を初期状態で反時計回り方向に１３５度傾けた時の通過運動部１４０の状態を図示する。
【０１１８】
すなわち、ハウジング１１０が反時計回り方向に１３５度傾けられる場合、通過運動部１４０が位置する方向である左側（運動部材１２５を基準として）に傾いたが、ハウジング１１０は水平（−９０度）を超過しないため、内容物５が滑らない状態となる。
【０１１９】
特に、ハウジング１１０の傾き角度は限定しない。併せて、通過運動部１４０の回転軸１２５の垂直線の下部方向が重力方向を示す。垂直線Ｃを基準として、右側の重さがより大きいため通過運動部１４０が右側方向に回転しようとする力が発生するが、ストッパー１２９によって実質的な回転は発生しなくなる。
【０１２０】
すなわち、ハウジング１１０が水平状態（−９０度）で、垂直線Ｃの右側がより重いため通過運動部１４０が右方向すなわち時計回り方向に回転しようとする力が発生するが、ストッパー１２９によって実質的な回転は発生しない。したがって、ハウジング１１０は手首の軸を中心に回転するだけで通過運動部１４０の自らの回転なしに沿って移動する。
【０１２１】
通過運動部１４０は、内容物の重力作用による運動に対応して運動し、内容物が通過するように通過作動部１２０を開放する、通過運動部１４０は、通過作動部１２０が傾くか動く場合、通過運動部１４０の自重、通過運動部１４０の慣性、内容物が通過運動部１４０を押圧する力のうち少なくとも一つによって運動することができる。
【０１２２】
内容物を通過させる通過運動部１４０の回転運動は、図６〜図８のように、通過運動部１４０の回転運動中心軸である運動部回転中心２１０位置が重力方向側である下向き方向に位置し、通過作動部１２０が傾いたりひっくり返されたりまたは揺られたりする動作による、内容物の重力運動または通過運動部１４０に対する内容物の運動力の伝達によってなされる。
【０１２３】
また、通過運動部１４０の回転運動は内容物通過手段１２３を内容物の自重で押圧することによる運動力でなされ得る。
【０１２４】
通過運動部１４０の運動部重心２１５の位置が、通過運動部１４０の運動部回転中心２１０位置の後方である、通過装置１００の外部通過方向の反対方向に位置し、図５のように、通過運動部１４０の回転運動中心である運動部回転中心２１０位置が重力方向側である下向き方向に位置し、通過作動部１２０が傾く場合、運動部重心２１５位置と運動部回転中心２１０位置の差によって通過運動部１４０の回転運動が抑止されるか遅延され得る。
【０１２５】
併せて、通過通路部１３９は内容物通過手段１２３に移動する内容物５の移動量を制限する役割をする。
【０１２６】
詳細には、通過通路部１３９は、通過する個々の内容物５の一側端部の長さが他側端部の長さと異なる場合、通過通路部１３９の内部空間のうち最小長さ内径である通路幅最小内径Ｌ１が個々の内容物５の短方向のうち最大外径の長さである内容物の短方向最大外径Ｌ２の二倍より小さいか同じであるため、二個以上の個々の内容物５が通過通路部１３９に同時に進入または通過できず、一度に一個の内容物５だけが通過通路部１３９に進入または通過可能となる。
【０１２７】
また、通過通路部１３９は通過する個々の内容物５の一側端部の長さが他側端部の長さと異なる場合、内容物５が長方向端部の長さ方向Ｌ３に向けて通過通路部１３９を通過するようにガイドする。
【０１２８】
内容物通過手段１２３は開放部材１２４に連動して開放された開放部１２２を閉鎖する閉鎖部材１２７を含み、一個の内容物５が通過通路部１３９の前方を通過する時、他の個々の内容物５が前方通過内容物５の後に隣接して通過通路部１３９の後方を通過し、後方通過内容物５が移動して閉鎖部材１２７に接触して、閉鎖部材１２７が開放部１２２の少なくとも一部を閉鎖することにより、定量を超過して内容物が開放部１２２に流入することを防止する。
【０１２９】
本実施例の場合、個々の内容物５である定量の内容物５が開放部材１２４がある位置まで進入するためには内容物が開放部材１２４に接触する前には、通過運動部１４０の重さ平衡力によって、図５のように、開放部材１２４は閉鎖した状態にあり、閉鎖部材１２７は開放した状態にあるようになり、定量の内容物が通過作動部１２０に進入する前までこのような待機状態を維持する。
【０１３０】
また、定量の内容物５が開放部材１２４に接触すると、図７〜図８のように、開放部材１２４と閉鎖部材１２７は連動して回転して、開放部材１２４は開放した状態となり、閉鎖部材１２７は閉鎖した状態となる。この時、閉鎖部材１２７の閉鎖した状態により定量以外の内容物の開放部１２２への進入を防止し続ける。
【０１３１】
通過運動部１４０は開放部１２２の内側面に該当する固定部材１２１に回動可能に備えられ、図３から図５に連結される順序で通過作動部１２０を傾ける動作を通じて、図６から図８に連結される順序で開放部１２２が開放されて内容物５が引き出された後、図１２のように通過作動部１２０を再び立てる位置に復帰させると、通過運動部１４０の重さ平衡力によって通過運動部１４０が、図３または図１２のように、運動部材１２５を基準として閉鎖部材１２７が開放される状態に復帰するようになる。
【０１３２】
したがって、復帰した位置である図３から図５の順序で通過作動部１２０が再び傾くと、再び引き出されるために通過運動部１４０に初めて接近する定量内容物が閉鎖部材１２７に詰まることなく進入して開放部材１２４に接触することができる。通過運動部１４０のこのような回動作動によって容器本体１１０の中にあるすべての内容物が定量ずつ引き出され得る。
【０１３３】
通過通路部１３９の下部には内容物５を通過通路部１３９に流入させる移動案内部１８０を具備する。
【０１３４】
特に、移動案内部１８０の少なくとも一部は傾斜するように形成されることによって、内容物５が傾斜した面に沿って通過通路部１３９が位置したところに案内される。
【０１３５】
すなわち、通過作動部１２０を具備するハウジング１１０が傾く場合、内容物５が移動案内部１８０の重力方向に傾斜した面に沿って移動する。
【０１３６】
特に、通過作動部１２０は開放部１２２を有しつつ、開放部１２２が一定の高さ立ち上がるように形成される。
【０１３７】
併せて、移動案内部１８０の傾斜した面の少なくとも一部が曲面でありながら徐々に狭くなるように形成されることによって、内容物５が狭くなる曲面を通じて通過作動部１２０側に移動するように誘導される。
【０１３８】
また、開放部材１２４の運動角度は内容物通過手段１２３に備えられるストッパー１２９と通過作動部１２０を具備するハウジング１１０に連結されるカバー３０のうち少なくとも一つによって制限され得る。
【０１３９】
併せて、ストッパー１２９は運動部材１２５から延びて、開放部材１２４がこれ以上運動されず、閉鎖部材１２７が開放部１２２を完全に閉鎖する状態を維持するようにする役割をする。すなわち、ストッパー１２９は内容物通過手段１２３またはハウジング１１０に形成されて開放部材１２４の回転角度を制限する役割をする。
【０１４０】
通過装置１００を具備する内容物収容器具１は容器器具であり得る。
【０１４１】
さらに詳細には、内容物通過手段１２３は、運動による開放によって内容物５が通過するようにする通過運動部１４０を含む。
【０１４２】
そして、通過運動部１４０は、内容物５の通過方向に運動して内容物５の通過空間を形成する開放部材１２４、および開放部材１２４に連動して内容物５が通過できないか部分的にのみ通過するように開放部１２２の少なくとも一部を閉鎖する閉鎖部材１２７を含む。
【０１４３】
これによって、閉鎖部材１２７は開放部材１２４に連動して開放部１２２の少なくとも一部を閉鎖することにより、定量を超過する内容物５が開放部１２２を通過することを防止することができる。
【０１４４】
また、通過作動部１２０は、内容物を通過させるために開放部１２２を形成する固定部材１２１、および内容物５が内容物通過手段１２３側に流入案内されるようにする移動案内部１８０を含む。
【０１４５】
この時、内容物５は内容物通過手段１２３の変形によって通過するが、特に開放部材１２４の回動によって通過する。
【０１４６】
すなわち、通過作動部１２０は、内容物５が通過する前に位置する通過以前部１１３と通じる開放部１２２を形成して通過以前部１１３に位置した内容物５が通過することを許容する。特に、内容物通過手段１２３は、開放部１２２を通じて内容物５を移動させる。
【０１４７】
換言すると、内容物５の通過空間は開放部材１２４の固定されていない自由端が内容物５の重さによる押圧、通過作動部１２０を具備するハウジング１１０の揺れ、開放部材１２４の自重のうち少なくとも一つによって運動することによって形成され得る。
【０１４８】
一方、通過装置１００は内容物移動器具１または収容器具に適用されて、内容物移動器具１または収容器具の本体から開閉可能な開閉器具であり得る。
【０１４９】
そして、通過装置１００は通過作動部１２０を含む。併せて、通過作動部１２０は、内容物移動器具１または収容器具の本体の通過以前部１１３の内容物５を通過装置１００側に移動案内する。ここで、内容物移動器具１または収容器具の本体はハウジング１１０を指し示し得る。
【０１５０】
併せて、通過運動部１４０は運動部材１２５を含む。運動部材１２５は開放部材１２４を運動可能に連結することができる。
【０１５１】
通過作動部１２０は、内容物５が内容物通過手段１２３に接触する側である通過排出側から内容物５が進入する側である通過進入側に延長形成される通過通路部１３９を含む。
【０１５２】
そして、通過通路部１３９は、内容物５を内容物通過手段１２３に移動案内する役割をする。
【０１５３】
併せて、通過運動部１４０は、通過作動部１２０が傾く場合、通過運動部１４０が通過作動部１２０の傾きを超過する傾きに通過作動部１２０とともに傾くことを抑制する平衡部１２３ｂを含むことができる。
【０１５４】
開放部１２２を通じて、開放部材１２４が運動して形成される通過空間の開放の有無により内容物５を通過案内する。この時、開放部材１２４は固定部材１２１に直接的または間接的に連結され得る。
【０１５５】
換言すると、内容物５が滑る方向である通過装置１００の方向に通過作動部１２０が傾く場合、通過運動部１４０は通過作動部１２０が傾く方向の反対方向に重さ偏り力が作用するようになり、開放部材１２４が開放部材１２４の自重によって通過作動部１２０が傾く方向に通過作動部１２０が傾く角度以上に傾くことを抑制する。
【０１５６】
併せて、平衡部１２３ｂは平衡部１２３ｂの重さ平衡状態が内容物５を通過させるために傾く通過作動部１２０の傾きの反対方向に回転する力が発生するように構成され、したがって平衡部１２３ｂの重さ平衡によって開放部材１２４が通過作動部１２０の傾き方向に反ることなく通過作動部１２０の傾きの反対方向に回転しようとする力が作用する。
【０１５７】
この時、固定部材１２１は開放部材１２４が連結される通過装置１００の内部通孔空間の内周面に備えられるか、または通過装置１００が含むハウジング１１０の部材であり得る。
【０１５８】
特に、内容物が通過方向または通過方向の反対方向に運動部材１２５の外部曲面または開放部材１２４の外部面に接触して移動する時、運動固定部１２５ａの円周の外側方向に内容物が抵抗されて移動する。
【０１５９】
この時、内容物の運動固定部１２５ａの円周の外側方向の移動により開放部１２２の有効通過空間が狭くなり、需要量以外の内容物の通過を防止する。
【０１６０】
すなわち、通過作動部１２０の傾きにより内容物５が開放部材１２４に接触すると、内容物５の重さの少なくとも一部又は全部が平衡部１２３ｂに加えられて通過作動部１２０の傾き方向に平衡部１２３ｂの重さ偏りが発生するようになり、この時、平衡部１２３ｂの開放部材１２４側に加えられる内容物５の重さによって発生する通過作動部１２０の傾き方向への重さ偏りが平衡部１２３ｂが通過作動部１２０の傾きの反対方向に回転しようとする平衡部１２３ｂだけの平衡状態の位置に到達しようとする平衡維持力を超過するようになると、平衡部１２３ｂが通過作動部１２０の傾き方向に回転する。
【０１６１】
併せて、内容物が運動部材１２５の曲面である外部面に沿って軸反対方向に押圧されながら移動して他の内容物が共に通過する有効通過空間をなくす。
【０１６２】
この時、他の内容物が共に通過する有効通過空間を減らす、運動部材１２５の外部面に沿って曲面などで形成される突出した構成は底高さ変化部材１４７であり、内容物が通過しながら接する運動部材１２５の底高さが相対的に上昇して内容物が通過されるように開放される開放部１２２空間を狭くする役割をする。
【０１６３】
そして、少なくとも開放部材１２４を含む通過運動部１４０または平衡部１２３ｂの重さまたは重心が、通過作動部１２０を具備するハウジングが傾く場合、必要内容物が開放部材１２４に接触する前に通過運動部１４０の自重によって回転がなされないように通過運動部１４０の形状が形成されるか通過運動部１４０の構成部材が結合されて形成され得る。
【０１６４】
また、内容物通過手段１２３は運動部材１２５を含むが、運動部材１２５は開放部材１２４を回動運動可能に連結する。
【０１６５】
特に、通過作動部１２０は、内容物５を通過させるために開放部１２２を具備する固定部材１２１を含む。
【０１６６】
内容物通過手段１２３は開放部材１２４および運動部材１２５を含む。
【０１６７】
開放部材１２４は固定部材１２１と連結される。そのため、開放部材１２４が運動して開放部１２２の開放の有無により内容物５を受け取り案内することができる。
【０１６８】
そして、運動部材１２５は開放部材１２４を運動可能に連結する。
【０１６９】
したがって、内容物５が開放部材１２４を押圧するとき、内容物５は開放部材１２４の反りによって流入し、閉鎖部材１２７は開放部材１２４に連動して開放部１２２の少なくとも一部を閉鎖することによって、需要量を超過する内容物５が通過することを防止することができる。
【０１７０】
この時、通過運動部１４０は内容物移動器具または収容器具１が傾いた時、通過運動部１４０の重心で平衡を維持しようとするまたは平衡になるために内容物移動器具または収容器具１の傾きの反対方向に回転しようとする力によって、通過運動部１４０が内容物移動器具または収容器具１の傾きを超過し、それ以上傾かない平衡部１２３ｂとなる。
【０１７１】
この時、図５でのように、通過運動部１４０または平衡部１２３ｂが平衡を維持するか平衡になるために回転しようとする力の方向は、内容物移動器具または収容器具１の傾きの反対方向に通過運動部１４０または平衡部１２３ｂが回転しようとする力として発生する。特に、通過運動部１４０は通過運動部１４０の重心平衡のために別途の運動制御部材１２３ａを含むことができる。
【０１７２】
運動制御部材１２３ａは、通過作動部１２０が傾く時、開放部材１２４と運動制御部材１２３ａの重さ、または開放部材１２４、運動制御部材１２３ａおよび開放部材１２４とともに運動する別個の部材の重さによって、平衡部１２３ｂの重心に重さ平衡の力が作用し、重力方向の重心位置を維持しようとする力によって、開放部材１２４が通過作動部１２０の傾きを超過する傾きに傾かないようにすることができる。
【０１７３】
内容物が通過装置１００の方向に滑る方向に通過作動部１２０が傾く場合、通過運動部１４０は通過作動部１２０が傾く方向の反対方向に重さ偏り力が作用するようになり、開放部材１２４が開放部材１２４の自重によって通過作動部１２０が傾く方向に通過作動部１２０が傾く角度以上に傾くことを抑制するようになる。
【０１７４】
開放部材１２４が含まれている平衡部１２３ｂは通過作動部１２０が傾くにつれて内容物が滑り落ちて開放部材１２４に接触して、内容物の重さが通過作動部１２０が傾く方向に加えられて通過作動部１２０が傾く方向に重さ偏りが発生する前には、開放部材１２４は、内容物の吐出のために開放される方向で開放部材１２４の自重による運動が抑制され、内容物が接触する前まで開放待機状態を維持するようになる。
【０１７５】
このように、通過運動部１４０は平衡部１２３ｂとなり、平衡部１２３ｂは平衡部１２３ｂの重さ平衡状態が内容物を通過させるために傾く通過作動部１２０の傾きの反対方向に回転する力が発生するように構成され得る。したがって平衡部１２３ｂの重さ平衡によって開放部材１２４が通過作動部１２０の傾き方向に反ることなく通過作動部１２０の傾きの反対方向に回転しようとする力が作用するようになる。
【０１７６】
また、平衡部１２３ｂが通過作動部１２０の傾きの反対方向に回転しようとする力は、固定部材１２１またはハウジング１１０のような内容物器具の部材に抵抗されて通過作動部１２０の傾きの反対方向に回転が発生しないように抑制され得る。したがって平衡部１２３ｂは平衡部１２３ｂの平衡状態方向に維持または回転運動しようとする力によって通過作動部１２０の傾き方向に反ることなく、固定部材１２１またはハウジング１１０に抵抗されるようにして平衡部１２３ｂの平衡状態方向に維持または回転運動しようとする力による通過作動部１２０の傾きの反対方向に回転が抑制される。
【０１７７】
通過作動部１２０の傾きにより内容物が開放部材１２４に接触すると、内容物の重さの少なくとも一部又は全部が平衡部１２３ｂに加えられて図７および図８の左側方向である通過作動部１２０の傾き方向に平衡部１２３ｂの重さ偏りが発生するようになり、この時、平衡部１２３ｂの開放部材１２４側に加えられる内容物の重さによって発生する通過作動部１２０の傾き方向への重さ偏りが平衡部１２３ｂが通過作動部１２０の傾きの反対方向に回転しようとする平衡部１２３ｂだけの平衡状態の位置に到達しようとする平衡維持力を超過するようになると、平衡部１２３ｂが通過作動部１２０の傾き方向に回転するようになる。この時、平衡部１２３ｂの回転が固定部材１２１またはハウジング１１０のような内容物器具の部材と接触抵抗されて平衡部１２３ｂが通過作動部１２０の傾き方向に必要以上に回転することを抑制することができる。
【０１７８】
内容物移動器具または収容器具１とともに通過作動部１２０が傾く時、平衡部１２３ｂまたは通過運動部１４０は平衡部１２３ｂまたは通過運動部１４０の重心に重さ平衡をなそうとする力の作用によって平衡部１２３ｂまたは通過運動部１４０が通過作動部１２０の傾きを超過して傾かず、通過作動部１２０内での位置と傾きを維持することができる。
【０１７９】
すなわち、通過運動部１４０は、開放部１２２にシーソー運動可能に備えられ、通過作動部１２０は、シーソー運動によって、通過作動部１２０が設定角度以内に傾く場合、初期状態を維持して開放部材１２４が開放部１２２を開放しない。
【０１８０】
内容物が通過運動部１４０を押圧する力または内容物が通過運動部１４０を押圧する力と通過運動部１４０の自重によって開放部１２２を開放し、内容物が設定量だけ通過案内される。
【０１８１】
設定角度は開放部１２２を形成した内容物移動器具または収容器具１が立てられた初期状態から１８０度を超過しない傾き角度で設定され得る。
【０１８２】
通過運動部１４０は回転中心である運動部材１２５を基準として左側または右側に重さ偏り現象によってシーソー運動をすることができる。
【０１８３】
通過運動部１４０は、開放部１２２を形成した内容物移動器具または収容器具１が傾いた待機状態で、回転中心である運動部材１２５を基準として閉鎖部材１２７側に重さが偏り、閉鎖部材１２７がストッパーに係止されることによって閉鎖部材１２７が開放部１２２を閉鎖せずに開放する状態を維持することができる。
【０１８４】
通過運動部１４０は、開放部１２２を形成した内容物移動器具または収容器具１が設定角度以内に傾く場合、傾く方向の反対側への重さ偏りにより開放部材１２４が開放部１２２を閉鎖する状態を維持することができる。
【０１８５】
通過運動部１４０は、開放部１２２を形成した内容物移動器具または収容器具１が傾く場合、開放部１２２側に流入する内容物の重さが加重されて回転中心である運動部材１２５を基準として回動しながら開放部１２２を開放することができる。
【０１８６】
このように通過運動部１４０は、運動部材１２５を基準として開放部１２２でシーソーのテコの重さ平衡原理によって往復回動しながら開放部１２２を開閉することができる。
【０１８７】
通過運動部１４０は、通過作動部１２０が設定角度以内に回動時、自重によって開放部１２２を閉鎖した状態を維持し、内容物の押圧力または内容物が通過運動部１４０を押圧する力と通過運動部１４０の自重によって開放部１２２を順次開閉しながら内容物を設定量だけ通過案内することができる。
【０１８８】
通過運動部１４０は、通過作動部１２０が傾く場合、通過運動部１４０の自重によって通過作動部１２０の傾きを超過して傾くことを抑制する平衡部１２３ｂを含むことができる。
【０１８９】
通過運動部１４０は、内容物の通過方向に運動して内容物の通過空間を形成する開放部材１２４を含むことができる。
【０１９０】
通過運動部１４０は、開放部材１２４に連動して内容物が通過できないか部分的にのみ通過するように開放部１２２の少なくとも一部を閉鎖する閉鎖部材１２７を含むことができる。
【０１９１】
設定量だけの内容物が開放部材１２４に接触する前までは重さ平衡によって通過運動部１４０の自重による回動が発生しないように通過作動部１２０や内容物通過手段１２３の形状が備えられ得る。
【０１９２】
通過運動部１４０は、テコ運動の重心の平衡設定のための運動制御部材１２３ａをさらに含むことができる。
【０１９３】
通過作動部１２０内に備えられる抵抗部材１１０ａを含み、抵抗部材１１０ａは通過作動部１２０内を通過する内容物の通過を制限する。
【０１９４】
通過作動部１２０内に備えられる抵抗部材１１０ａを含み、抵抗部材１１０ａは通過作動部１２０内を通過する内容物の通過を制限し、抵抗部材１１０ａは閉鎖部材１２７と連係して内容物の通過を抵抗することができる。
【０１９５】
抵抗部材１１０ａは需要量を超過する内容物の進入が容易とならないように通過作動部１２０の内部で突出して構成され得る。また、運動する閉鎖部材１２７と連係して需要量を超過する内容物の進入をさらに効果的に遮断することができる。
【０１９６】
抵抗部材１１０ａは多様に形成され得るが、便宜上、抵抗上板部材１８２の一部が内側に凹んで陥没形成されるものとして図示する。
【０１９７】
また、通過運動部１４０は収容部材１２７ａを含む。
【０１９８】
収容部材１２７ａは開放部材１２４に連動して開放部材１２４方向に運動して、開放部材１２４とともに需要量の内容物を収容し運動する。
【０１９９】
併せて、内容物５は抵抗上板部材１８２と抵抗側板部材１８３のうちいずれか一つ以上に接触し、開放部１２２を通過した内容物の残留量を制限する。
【０２００】
抵抗上板部材１８２は移動案内部１８０に備えられ得、抵抗側板部材１８３は抵抗上板部材１８２や固定部材１２１に連結され得る。
【０２０１】
特に、抵抗側板部材１８３が内容物５の通過方向に向かう固定部材１２１の表面に形成され得るが、開放されるカバー３０が備えられる場合、カバー３０を開放時に共に移動して内容物を把持するときに干渉とならないようにカバー３０に形成されるものとする。
【０２０２】
もちろん、抵抗上板部材１８２と抵抗側板部材１８３は内容物５の通過方向と通過側面方向に多様な形状に変形可能である。
【０２０３】
そして、移動案内部１８０は内容物５の流入側に内容物誘導部１８８を形成する。内容物誘導部１８８は内容物が内容物通過手段１２３に移動中に発生する高さの差を複数以上の段に分けたり傾斜面で構成して、高さの差が内容物の移動を防げずに内容物の移動を誘導するようにして通過以前部１１３の内容物が通過通路部１３９に安定的に移動するように誘導する役割をする。もちろん、内容物誘導部１８８は多様な形状に変形可能である。
【０２０４】
一方、通過装置１００は通過器具進入部１１９をさらに含む。
【０２０５】
通過器具進入部１１９は通過作動部１２０の吐出側に移動する内容物５が一つまたは定量吐出案内されるように内容物５の移動方向と移動状態を設定するためにハウジング１１０に形成される。
【０２０６】
特に、ハウジング１１０は縮径部１１６および拡径部１１７を含む。
【０２０７】
縮径部１１６は固定部材１２１が置かれ、内容物５が移動案内部１８０側に移動案内されるように縮径形成される。この時、縮径部１１６の直径は内容物誘導部１１８とガイド部材１９０および抵抗上板部材１８２に沿って形成される円周の軌跡と類似するか同一であるものとする。
【０２０８】
そして、拡径部１１７は内容物を初期に設定量だけ保存できるように縮径部１１７より内部空間が大きく形成される。もちろん、拡径部１１７の直径は限定しない。
【０２０９】
そして、通過器具進入部１１９はハウジング１１０の縮径部１１６と拡径部１１７の連結部位に形成され、円周の軌跡に沿って内側に膨らんで曲率を有して形成される。そのため、内容物５が通過器具進入部１１９に沿って移動して内容物誘導部１８８とガイド部材１９０の内側に設定量ずつ流入案内される。
【０２１０】
もちろん、通過器具進入部１１９は多様な形状に変形可能である。
【０２１１】
内容物が通過通路部１３９に誘導されるようにする内容物誘導部１８８のすべり開始終端が、本実施例の容器本体であるハウジング１１０のネック部分である縮径部１１６の内径に近接または接触して位置する。したがって内容物誘導部１８８のすべり開始終端が、屈曲した形状の通過器具進入部材１１９と連結されるように位置して、内容物の移動が円滑に連結されて内容物が滑りながら拡径部１１７から通過通路部１３９に移動案内される。
【０２１２】
インジェクションブロー容器は容器ハウジング１１０のオープニングに空気圧が加えられる理由により、容器の胴体である拡径部１１７より狭いネック部分である縮径部１１６が作られる。
【０２１３】
したがって、インジェクションブロー筒である場合には、通過装置１００に備えられる内容物誘導部１８８の終端部位が傾斜したり曲がったりした段がある形状で、容器のネック（縮径部、１１６）の内径と容器の胴体（拡径部、１１７）の内径を全部または部分で連結するようにして、ハウジング１１０を傾けて内容物が滑る時に内容物が通過通路部１３９に円滑に移動するようにすることができる。
【０２１４】
もちろん、本実施例のように内容物誘導部１８８の内容物進入部位と拡径部１１７の間に段差がある場合、内容物誘導部１８８の内容物進入部位と拡径部１１７の間の段差を連結する形状変化部１１９が備えられ得る。本実施例の場合、形状変化部１１９は縮径部１１６と拡径部１１７の段差を連結して内容物のハウジング内の段差での供給移動を案内する通過器具進入部である。
【０２１５】
また、本実施例のように入口が容器の胴体より狭いインジェクションブロー筒だけでなく、入口が容器の胴体より狭くない射出筒の場合にも、通過運動部１４０の開放部材１２４の回転軸の作動位置が容器ハウジング１１０の内径から内部に離れて位置するので、滑って移動する固形物の位置と差が発生し得、このような段差を連結するために内容物誘導部１８８の容器の底方向である内容物進入部位が傾斜したり曲がったりした段で形成される。
【０２１６】
インジェクションブロー筒と射出筒の両方の場合、開放部材１２４の作動位置が容器の内径の内側に位置するようになり、これに伴い、容器の胴体１１７から接近する内容物の位置と段差が発生し、このような段差を連結する傾斜したり曲がったりした段で構成される内容物誘導部１８８を含む。
【０２１７】
本実施例の容器本体（ハウジング、１１０）はインジェクションブロー筒であって、胴体の上部のオープニングに空気圧が加えられる理由により、拡径部１１７より狭い縮径部１１６部分が構成される。
【０２１８】
本実施例では縮径部１１６の内径に離隔して位置する開放部材１２４と縮径部１１６の内径の段差を連結する内容物誘導部１８８が備えられる。
【０２１９】
本実施例のようなインジェクションブロー容器である場合、段差連結部１８８が容器縮径部１１６の内部と容器の胴体１１７の内部を連結して、内容物の滑りが円滑に連結される。
【０２２０】
また、容器の胴体１１７より狭い縮径部１１６と内容物が保管されて移動を待機する拡径部１１７を連結する傾斜部位である通過器具進入部１１９を含む。通過器具進入部１１９はハウジング１１０が傾いて拡径部１１７の内容物が内容物誘導部１８８に移動するときに発生する段差を連結する役割をすることができる。
【０２２１】
本実施例とは異なり、内容物誘導部１８８の容器の底方向の段差開始終端である段差開始点が縮径部１１６の内径より大きい場合、ハウジング１１０で通過装置１００を挿入するには、内容物誘導部１８８の段差開始終端である内容物誘導部１８８の容器の底方向開始点を含む通過装置１００の下部を先に垂直方向に挿入後に通過装置の位置を水平方向に移動し、再び通過装置１００を垂直方向に挿入しなければならないため、組立時に垂直移動後に中間段階である水平移動、その後垂直移動の三つの段階が必要となる。
【０２２２】
一方、本実施例のように通過装置１００の内容物誘導部１８８がハウジングの内径に近接する内容物誘導部１８８の開始点とガイド部材１９０が、縮径部１１６の内部に位置するようにして、通過装置１００をハウジング１１０に組立時に一方向に直接挿入が可能となる。
【０２２３】
特に、これは本実施例のように拡径部１１７の容器の胴体１１７より縮径部１１６の容器のネック１１６部分が小さく生産されるブロー容器の特性で示される。ハウジング１１０はインジェクションブロー筒であって、膨らんだ胴体と通過装置１００の主要部位が位置する縮径部１１６で構成される。
【０２２４】
したがって、拡径部１１７方向である、内容物誘導部１８８を含む通過装置１００の下部全体の外径が容器縮径部１１６の内径より小さくなるように構成されると、容器本体への組立時に中間段階である水平移動なしに通過装置１００が容器本体であるハウジング１１０に一方向に一度に挿入されるようになる。
【０２２５】
一方、通過装置１００が容器本体に組み立てられると、上部から下部方向側を支持するように縮径部１１６の上端が広く構成されるか縮径部１１６の内部に段が形成され得る。
【０２２６】
また、容器が傾いた時、内容物通過ディスペンサーである通過装置１００が接触する内容物の重さによって外部に分離されないように通過装置１００の上部外径に突出部が構成され、これに相応してハウジング１１０の縮径部１１６の上端に溝が形成されて挿入時に互いに噛み合うようにすることができる。
【０２２７】
縮径部１１６の上端に多様な形態の蓋が結合され得る。
【０２２８】
もちろん、ハウジング１１０は拡径部１１７と縮径部１１６が区分されずに、一の字状に連結されるか多様な形状に構成されてもよい。すなわち、ハウジング１１０は同一直径の容器など、多様に製作され得る。
【０２２９】
結果として、初期の立てられている状態で、通過運動部１４０の重さ平衡の力によって、開放部材１２４が開放部１２２を閉鎖している状態を維持する。すなわち、一側（右側）に回転しようとする力が作用する時、ストッパー１２９が通過運動部１４０の一側への回転を防止する。
【０２３０】
そして、通過運動部１４０が位置する方向である他側（左側）に傾いたり水平を超過しないため内容物５が滑らない状態となる。併せて、容器１１０が所定角度（９０度以内）に傾く場合、通過運動部１４０の回転中心の垂直線の下部方向に重力が作用する。そのため、垂直線を基準として、一側の重さがよりおおきいため一側方向に回転しようとする力が発生しても、ストッパー１２９によって実質的な回転が発生しない。
【０２３１】
ハウジング１１０が水平状態の場合、任意の垂直線の一側がより重くなって一側方向に回転しようとする力が発生するが、ストッパー１２９によって実質的な回転を発生しなくなる。したがって、通過運動部１４０は自らの回転が発生しない。
【０２３２】
併せて、ハウジング１１０が水平以上にさらに傾いた時、閉鎖部材１２７が開放された状態で通過運動部１４０の運動はなく、待機状態となる。この時、内容物５がハウジング１１０の内部の傾斜により重力方向に滑りながら移動するようになる。
【０２３３】
特に、ハウジング１１０とガイド部材１９０間の段差があっても、タブレット形態の個々の内容物５は、立てられずに横になってガイド部材１９０に進入が可能となる。
【０２３４】
この時、ハウジング１１０の内部の内容物５中の最初の内容物５が通過運動部１４０の開放部材１２４と閉鎖部材１２７の間に備えられる通過隔室部１２４ａに入ってこない状態となる。
【０２３５】
併せて、平たい形態ではない長方形の内容物５は、立てられずに安定的にガイド部材１９０の傾斜に沿って滑るようになる。
【０２３６】
この時、ハウジング１１０が９０度を超過して傾く前には、内容物５が通過運動部１４０に接触しなくなる。
【０２３７】
一方、ハウジング１１０が９０度を超過して傾く場合、内容物５と底高さ変化部材１４７との摩擦または内容物５による開放部材１２４を押圧する力によって、通過運動部１４０が通過隔室部１２４ａの空間内にある内容物５と共に移動（回動）するようになる。
【０２３８】
この時、内容物５の荷重と重力方向である垂直線の左側の重さが右側の重さより大きくなって左側で重さ偏りが発生するにつれて（図９参考）、通過運動部１４０が回転中心１２５を基準として左回り、つまり反時計回り方向に回転して内容物５を外部に通過させる。
【０２３９】
定量内容物５は外部に排出され、通過運動部１４０と接触しないため、通過運動部１４０は右側の重さがより大きいので右側に回転しようとする力が発生するが、残っている内容物５が閉鎖部材１２７を重力によって接触することによって状態を維持するようになる。
【０２４０】
特に、図５はハウジング１１０を水平方向以上（−９０度以上）に傾けた状態を図示する。この時、閉鎖部材１２７が開放された状態で通過運動部１４０の運動（回動）なしに初期状態を維持する。内容物５がハウジング１１０の内部の傾斜により重力方向Ｃの力で滑りながら移動を開始する。
【０２４１】
ハウジング１１０とガイド部材１９０間の段差があっても、タブレット形態の個々の内容物５は立てられずに横になってガイド部材１９０に進入が可能となる。まだ最初の内容物（錠剤、５）が通過運動部１４０の開放部材１２４と閉鎖部材１２７の間に備えられる通過隔室部１２４ａに入っていない状態となる。
【０２４２】
平たい形態の錠剤ではないタブレット形態の内容物５は立てられずに安定的にガイド部材１９０の傾斜を滑りながら移動する。
【０２４３】
通過運動部１４０がハウジング１１０の傾きによって初期状態を基準として反時計回り方向に９０度を超過して傾けた状態であるが、内容物５が通過運動部１４０に接触していない状態であり、運動部材１２５を基準として右側の重さ偏りで右側方向である時計回り方向に回転しようとするが、ストッパー１２９により抑制されて待機状態を維持する。
【０２４４】
図５はハウジング１１０が時計反対方向に設定傾き、一例として９０度以上に傾けると、錠剤のような内容物５が滑って通過装置側に移動する。この時、開放部材１２４と通過運動部１４０は別途の自らの回転なしに同じ姿勢と状態を維持する。図５で内容物５が閉鎖部材の内側に移動しないため、内容物５がセンサ部５１０の受光部４２０を遮っていない状態であって、センサ部５１０の受光部４２０が感知した光量が大きい。この場合、受信部４２０により受信される光量は一例として８０％程度と算定され得る。
【０２４５】
図６は閉鎖部材１２７が開放された状態で内容物５が通過運動部１４０の内部空間に進入する状態を図示したものである。
【０２４６】
通過運動部１２４の平衡部１２３ｂに内容物５の自重が加えられて、開放部材１２４側である重力垂直線Ｃの左側部位に重さ偏りが相対的に大きくなることによって、平衡部１２３ｂと内容物５との抵抗によって、内容物５が開放部材１２４と接触するために接近するかまたは開放部材１２４と接触して通過運動部１４０がハウジング１１０の傾きを超過して反時計回り方向に回転することができる。
【０２４７】
この時、傾いた傾斜面に沿って重力方向に移動する内容物５と平衡部１２３ｂとの摩擦、または開放部材１２４を押圧する力によって、通過運動部１４０が通過隔室部１２４ａの空間内にある内容物５と共に移動する。
【０２４８】
図６で内容物５が通過装置の開放部材１２４に届くために移動した状態であり、この時、センサ部５１０の受信部４２０に受信された光量は、図５に内容物５が閉鎖部材の内側に移動していない状態より相対的に少ない量の光量であって、一例として２０％と算定され得る。
【０２４９】
図７は、通過運動部１４０が初期状態から運動部材１２５を基準として反時計回り方向に回転がさらに進行して閉鎖部材１２７が定量の内容物（錠剤、５）の後に進入する内容物６を遮断し始める状態を図示する。
【０２５０】
この時、錠剤状態である内容物５の荷重と共に通過運動部１４０の重力垂直線Ｃの左側の重さが右側の重さより大きくなって左側への重さ偏りが発生し、通過運動部１４０が運動部材１２５の回転中心に左回転、すなわち反時計回り方向に回転して内容物５を外部に通過させることができる。
【０２５１】
図７は錠剤が外に排出されるために移動する状態であって、この時も閉鎖部材１２４が完全に遮断されてはいない状態である。錠剤が詰まった状態で発光部４１０が一定の光量を送信すると、錠剤が発光部４１０から受光部４２０に行く光のような媒介体の伝達を妨害した状態で受光部４２０が少ない量の受信量を受信して測定する。この時、受光部４２０に受光される光量は一例として約２０％程度と算定され得る。
【０２５２】
図８のように、通過運動部１４０が初期状態から運動部材１２５を基準として反時計回り方向でさらに回転した場合、通過運動部１４０を押圧していた定量の内容物５は外部に排出され始め、通過運動部１４０の開放部材１２４側とそれ以上接触しないため、通過運動部１４０は中心線Ｃを基準として右側の重さがより大きくなって右方向、すなわち時計回り方向に回転しようとする力が発生するが、残っている内容物６が閉鎖部材１２７を重力によって接触することによって、バルブ１００が右側に復帰できずに現状を維持し、それ以上の内容物５が通過隔室部１２４ａの空間に進入しないようにする。
【０２５３】
図８は、錠剤が開放部材１２４を押しのけて排出されているが、まだ完全には外部に排出されていない状態であって、２番目の錠剤が進入しないように閉鎖部材が閉鎖した状態である。
【０２５４】
錠剤はそのほとんどが外部に完全に吐出されるが、まだ錠剤が完全に吐出されていない状態で容器の入口部分に詰まるエラーが発生することが可能な状態である。この時の受光量は一例として約５０％程度と算定され得る。
【０２５５】
この時も錠剤がかなり吐出された状態で詰まる場合、受光部４２０で発光部４１０から送信された送信量のうち多くの量が受光部で感知され得る。この時の受光量は一例として約７５％程度と算定され得る。
【０２５６】
図８とは異なって、２番目の錠剤も閉鎖部材を通過する場合、二つの錠剤が吐出されるか、最初の錠剤と２番目の錠剤がともにｊａｍとなって吐出されない状況が発生可能である。
【０２５７】
図９は、錠剤が完全に吐出された状態である。
【０２５８】
受光部４２０が錠剤がない状態の発光部４１０が一定の光を放出すると、錠剤が遮っていない状態で、錠剤が遮っていない状態の受信量を受光部４２０が受信して測定する。この時、通過運動部１４０の運動の変化により発生する受信部の受信量の変化は補正値として勘案され得る。一例として、この時の受光された光量は約８０％程度と算定され得る。
【０２５９】
図１１でのように、タブレット形態の個々の内容物５は長さ（Ｘ）が幅（Ｙ）と高さ（Ｚ）と同じであるか類似し、または平たくないすべての形態において、内容物５の定量が個々の場合、内容物の一個の幅の１倍超過２倍以下の横幅の空間で通過通路部１３９の空間を構成することができる。
【０２６０】
単一数量を定量として通過させる場合、横方向の最短幅の長さが内容物５の断面軸の長さの１倍を超過し、２倍以下の範囲で通過通路部１３９の通過空間許容値を設けることができる。これは単一数量を超過する内容物５が同時に通過通路部１３９を通過しないようにする。複数個以上の内容物５を通過させる場合、通過空間許容値は２倍以上に調節可能である。
【０２６１】
図１２は内容物５の定量が個々の場合、内容物５の一つの高さまたは幅の最大長さの１倍超過２倍未満の縦の高さ空間で単一数量を定量として通過させる場合、通過通路部１３９の縦方向の最短幅の長さが内容物５の断面軸の２倍以下に通過空間許容値を設けることができる。これは単一数量を超過する内容物５が同時に通過通路部１３９を通過しないようにする。
【０２６２】
図１３は通過運動部１４０を傾ける以前の状態に復帰する過程中または立てられる場合を図示したものである。内容物５が定量だけ外部に通過した後、ハウジング１１０が時計回り方向に運動して初期状態に復帰する時、内容物５は閉鎖部材１２７と接触して閉鎖部材１２７を押圧していた内容物６が重力Ｃで下に落ちて閉鎖部材１２７と接触しなくなり、通過運動部１４０は運動部材１２５を基準とした時に右側の重さ偏りで右側である時計回り方向に回転し、ストッパー１２９が抵抗する地点まで回転運動して初期状態に復帰するようになる。閉鎖部材１２７が開放される状態に復帰した時、再び左側方向に傾けると通過運動部１４０に初期内容物５が接触する前まで通過運動部１４０が回転しない通過待機状態となる。
【０２６３】
この後、ハウジング１１０が開放部１２２の方向に傾くようになると、図５のように、内容物５の定量通過が誘導され得る準備段階が満足するようになる。
【０２６４】
図１４で、発光部４１０は通過作動部１２０または容器本体１１０に通過運動部１４０の方向に近接設置され、内容物５の吐出を案内する通過運動部１４０に備えられた運動部材１２５の軸方向に光を放出させる。発光部４１０により放出された光は、通過運動部１４０を通じて内容物５が吐出されるか否かによって、内容物５から反射する量またはデータが異なるようになる。
【０２６５】
ここで、発光部４１０の設置位置は、前記したように特に限定されず、内容物５の吐出を感知できる多様な位置に設置され得る。
【０２６６】
特に、発光部４１０は前記した移動案内部１８０に突出形成される支持部４４０に設置され得る。この場合、通過作動部１２０には発光部４１０から放出された光が通過運動部１４０に放出されるように貫通部４５０が形成され得る。
【０２６７】
受光部４２０は発光部４１０の他側の移動案内部１８０に設置されて発光部４１０から放出された光を受光する。
【０２６８】
受光部４２０の設置位置は、前記したように移動案内部１８０に設置されることに限定されず、内容物５の吐出を感知できる多様な位置に設置され得る。
【０２６９】
この場合、通過作動部１２０には発光部４１０から放出された光が通過運動部１４０に放出されるように貫通部４５０が形成される。したがって、発光部４１０を通じて放出された光は貫通部４５０を通じて受光部４２０により受光され得る。
【０２７０】
したがって、発光部４１０から放出された光は貫通部４５０を通じて内容物５が遮ったり内容物５が吐出されるか否かによって、内容物５により反射されるか受光部４２０により受光され得る。
【０２７１】
本実施例の発光部４１０である送信部で発送し受光部４２０である受信部で受信する信号媒介体は、本実施例の光に限定されずに磁気、電波、温度、圧力、振動、気体などを含む信号媒介体であり、これを発信する送信部とこれを受信する受信部でセンサ部が構成されるか、送信部なしに信号媒介体から発生した信号を受信する受信部だけでセンサ部が構成され得る。
【０２７２】
通過作動部１２０は内容物５を定量または需要量だけ移動を誘導する役割をする。ここで、「定量」は同じ個数や量、および誤差、許容範囲内で互いに異なる移動量や個数を意味する。「需要量」はユーザーが必要とする量（個数）であって、「定量」の範疇に含まれ得る。
【０２７３】
図１５は本発明の第２実施例に係る通過装置を具備する内容物移送器具の断面図である。
【０２７４】
図１５を参照すると、通過装置を具備する内容物移送器具で、ハウジング１１０の上部、すなわち入口に通過装置１００と後述するセンサ部がハウジング１１０の上部に挿入されるものの、着脱可能に設置され得る。
【０２７５】
この場合、通過装置１００はハウジング１１０の上部に装着されるように設置され、蓋３０がねじ山を通じてハウジング１１０に結合され得る。
【０２７６】
すなわち、通過装置１００とセンサ部がハウジング１１０に着脱可能に設置され、蓋３０がねじ山を通じて回転可能にハウジング１１０にねじ山を通じて結合されつつ、ユーザーは通過装置１００とセンサ部を容易に結合させることができる。
【０２７７】
この場合、通過装置１００とセンサ部の上端部はハウジング１１０の上端部とその高さが類似に形成され得、ユーザーは通過装置１００に備えられた取っ手（図示されず）等を把持して該当通過装置１００とセンサ部を容易に離脱させることができる。
【０２７８】
図１６は本発明の第３実施例に係る通過装置を具備する内容物移送器具の断面図である。
【０２７９】
図１６を参照すると、通過装置を具備する内容物移送器具で、ハウジング１１０の上部、すなわち入口に通過装置１００と後述するセンサ部がハウジング１１０の上部に挿入されるものの、着脱可能に設置され得る。
【０２８０】
この場合、通過装置１００はハウジング１１０の上部に装着されるように設置され、蓋３０がねじ山を通じて結合され得る。
【０２８１】
すなわち、通過装置１００とセンサ部がハウジング１１０に着脱可能に設置され、蓋３０がねじ山を通じてハウジング１１０に回転可能に結合されつつ、ユーザーは通過装置１００とセンサ部を容易に結合させることができる。
【０２８２】
この場合、通過装置１００とセンサ部の上端部はハウジング１１０の上端部に比べて相対的に高く形成される。したがって、ユーザーは該当通過装置１００を把持して通過装置１００とセンサ部を容易に離脱させることができる。
【０２８３】
図１７は本発明の第４実施例に係る通過装置を具備する内容物移送器具の断面図である。
【０２８４】
図１７を参照すると、通過装置を具備する内容物移送器具で、通過装置１００と後述するセンサ部が前記した第２実施例および第３実施例とは異なり、ハウジング１１０の上部、すなわち入口にハウジング１１０の上部に挿入されず、ハウジング１１０の上部にねじ山を通じて結合され、蓋３０が通過装置１００の外部に形成されたねじ山を通じて結合される。
【０２８５】
すなわち、通過装置１００とセンサ部が別個に備えられてハウジング１１０にねじ結合され、蓋３０が通過装置１００の外部に形成されたねじ山を通じて結合されることによって、ハウジング１１０と通過装置１００および蓋３０が互いに独立的に着脱が可能となる。
【０２８６】
この場合、通過装置１００はハウジング１１０と密閉されるために密閉部１０２をさらに具備することができ、この時、密閉部１０２は通過装置１００と蓋３０にねじ山を通じて結合され、密閉突起部１０３が密閉部１０２の外側に突出形成されて通過装置１００の内側と面接することによって、密閉性をさらに向上させることができる。
【０２８７】
このように、通過装置１００がアドオン（Ａｄｄ−Ｏｎ）の形態でハウジング１１０に結合され得ることによって、ハウジング１１０の大きさと形態に応じて通過装置１０３と蓋３０が製作され得、この場合、通過装置１０３と蓋３０が多様な形態と大きさのハウジング１１０に容易に結合され得る。
【０２８８】
図１８は本発明の第５実施例に係る内容物の移動を感知する通過装置のブロック構成図であり、図１９は本発明の第５実施例に係る通過装置の動作過程を図示したフローチャートである。
【０２８９】
図１８を参照すると、本発明の第５実施例に係る内容物５の吐出を感知する通過装置は感知部５００、ディスプレイ部８００、保存部９００、測定部１０００および通信部１１００を含む。本発明で感知部はセンサモジュールともいう。
【０２９０】
保存部９００はセンサモジュール５００により検出された内容物情報を保存する。
【０２９１】
測定部１０００は保存部９００に保存された情報に基づいて内容物の期間別累積吐出量を計算する。
【０２９２】
ディスプレイ部８００はセンサモジュール５００により検出された内容物情報、保存部９００に保存された情報、または測定部１０００で測定された情報を出力する。
【０２９３】
通信部１１００はセンサモジュール５００により検出された内容物情報、保存部９００に保存された情報、または測定部１０００で測定された情報を有線または無線通信を通じて外部装置に伝送する。
【０２９４】
センサモジュール５００は通過作動部に備えられ、通過運動部の一端の自由回動運動によって吐出される内容物を感知する。
【０２９５】
センサモジュールまたは感知部５００はセンサ部５１０、傾きセンサ５３０およびセンシング制御部４３０を含み、センサ部５１０は内容物１が吐出されるか否かを感知するものであって、送信部４６０および受信部４７０を含む。
【０２９６】
傾きセンサ５３０はハウジング１の傾きを感知する。
【０２９７】
送信部４６０は通過作動部１２０に設置されて内容物５の吐出を案内する通過運動部１４０に向かって電波を放出させる。送信部４６０により放出された電波は通過運動部１４０により反射されるか、または通過運動部１４０により吐出される内容物５によって反射または反応され得る。
【０２９８】
ここで、送信部４６０の設置位置は、前記したように通過作動部１２０の移動案内部１８０に設置され得る。しかし、本発明の技術的範囲はこれに限定されるものではなく、送信部１４０は内容物５の吐出を感知できる多様な位置に設置され得る。
【０２９９】
さらに、送信部４６０は前記した移動案内部１８０に突出形成される支持部４４０に設置され得る。
【０３００】
この場合、移動案内部１８０には送信部４６０から放出された光が通過運動部１４０に放出されるように貫通部４５０が形成される。したがって、送信部４６０を通じて放出された電波は貫通部４５０を通じて通過運動部１４０または内容物５に反射される。
【０３０１】
受信部４７０は移動案内部１８０に設置されて通過運動部１４０または内容物５に反射された電波を受信する。
【０３０２】
受信部４７０は送信部４６０と隣接した位置に並んで設置され得るが、受信部４７０の設置位置は、前記したように通過作動部１２０の移動案内部１８０に設置されることに限定されず、内容物５の吐出を感知できる多様な位置に設置され得る。
【０３０３】
特に、受信部４７０は前記した移動案内部１８０に突出形成される支持部４４０に設置され得る。
【０３０４】
したがって、送信部４６０から放出された電波は貫通部４５０を通じて通過運動部１４０または内容物５により反射され、通過運動部１４０または内容物５により反射された電波は再び貫通部４５０を通じて受信部４７０に受信される。
【０３０５】
センシング制御部４３０は既設定された設定周期ごとに発光部４１０を制御して光を放出させ、受信部４７０により受信された電波に基づいて通過運動部１４０を通じて吐出される内容物５を感知する。
【０３０６】
センシング制御部４３０が設定周期ごとに送信部４６０を制御して電波を放出させることによって、ユーザーが不規則的な時間に内容物５を吐出させても内容物５の吐出を即刻に検出することができる。設定周期は調節され得るが、設定周期が減少するほど内容物５の吐出を漏れなく検出することができる。
【０３０７】
ハウジング１１０が内容物５が吐出されないように置かれた状態では通過作動部１２０により内容物５が吐出されない。
【０３０８】
反面、ハウジング１１０が傾いて内容物５が吐出される場合には、内容物５が通過作動部１２０を通じて吐出されるので、送信部４６０により放出された電波は内容物５により反射されて受信部４７０に受信される。
【０３０９】
受信部４７０により電波が受信されると、センシング制御部４３０は受信部４７０により受信された電波を利用して内容物５を感知する。
【０３１０】
また、センシング制御部４３０は内容物５により反射された電波が受信部４７０により受信された後、受信部４７０により再び受信されないと通過作動部１２０により内容物５が吐出されたものと判断することもある。
【０３１１】
さらに、センシング制御部４３０は傾きセンサ５３０により感知されたハウジング１の傾きが既設定された設定傾き以内である状態で、受信部４７０により電波が受信されないと内容物５が吐出されたものと判断し、その反面、傾きセンサ５３０により感知されたハウジング１の傾きが既設定された設定傾きから外れた状態で、受信部４７０により電波が受信されないと内容物５が吐出されていないものと判断してもよい。これを通じて内容物１が吐出される過程でジャム（ｊａｍ）現象などにより内容物５が吐出されていないにもかかわらず、内容物５が吐出されたと誤って判断する場合を未然に防止することができる。
【０３１２】
ここで、設定傾きは内容物５が吐出され得るハウジング１の傾きである。
【０３１３】
次いで、図１９を参照して本発明の第５実施例に係る通過装置の動作過程を説明する。
【０３１４】
図１９を参照すると、まず、センシング制御部４３０は送信部４６０を制御して電波を放出させる（Ｓ１００）。
【０３１５】
送信部４１０により放出された電波は、内容物５が通過作動部１２０により内容物５が吐出されるか否かによって、内容物５により反射され得る。
【０３１６】
したがって、センシング制御部４３０は送信部４１０から放出された電波が受信部４７０により受信されるか否かを判断する（Ｓ１１０）。
【０３１７】
段階（Ｓ１１０）での判断結果、送信部４６０から放出された電波が受信部４７０により受信されて内容物５が感知されると、センシング制御部４３０は通過作動部１２０を通じて内容物５が吐出されるものと判断する（Ｓ１２０）。
【０３１８】
その反面、送信部４６０から放出された電波が内容物５に反射されて受信部４７０により受信されないと、センシング制御部４３０は通過作動部１２０を通じて内容物５が吐出されないものと判断する（Ｓ１３０）。
【０３１９】
一方、前記した過程で、センシング制御部４３０は受信部４７０により電波が受信された後、受信部４７０により再び受信されないと通過作動部１２０により内容物５が吐出されたものと判断してもよい。
【０３２０】
さらに、センシング制御部４３０は傾きセンサ５３０により感知されたハウジング１の傾きが既設定された設定傾き以内である状態で、受信部４７０により電波が受信されないと内容物５が吐出されたものと判断し、その反面、傾きセンサ５３０により感知されたハウジング１の傾きが既設定された設定傾きから外れた状態で、受信部４７０により電波が受信されないと内容物５が吐出されていないものと判断してもよい。
【０３２１】
図２０は本発明の第６実施例に係る内容物の吐出を感知する通過装置のブロック構成図である。
【０３２２】
図２０を参照すると、本発明の第６実施例に係る内容物５の吐出を感知する通過装置はセンサモジュール５００を含む。
【０３２３】
本発明の第６実施例は前記した図１〜図１２に図示された実施例に適用され得る。
【０３２４】
センサモジュール５００はセンサ部５１０、傾きセンサ５３０およびセンシング制御部４３０を含み、センサ部５１０は内容物１が吐出されるか否かを感知するものであって、発光部４１０および受光部４２０を含む。
【０３２５】
傾きセンサ５３０はハウジング１の傾きを感知する。
【０３２６】
発光部４１０は通過作動部１２０の移動案内部１８０に設置されて内容物５の吐出を案内する通過運動部１４０に備えられた運動部材１２５の軸方向に光を放出させる。発光部４１０により放出された光は、通過運動部１４０を通じて内容物５が吐出されるか否かによって、内容物５に反射され得る。すなわち、通過運動部１４０を通じて内容物５が吐出される場合、発光部４１０により発光された光は内容物５により反射されて受光部４２０に受光されないようになり、通過運動部１４０を通じて内容物５が吐出されない場合、他側に形成された受光部４２０に受光され得る。
【０３２７】
ここで、発光部４１０の設置位置は前記したように特に限定されず、内容物５の吐出を感知できる多様な位置に設置され得る。
【０３２８】
特に、発光部４１０は前記した移動案内部１８０に突出形成される支持部４４０に設置され得る。
【０３２９】
この場合、通過作動部１２０には発光部４１０から放出された光が通過運動部１４０に放出されるように貫通部４５０が形成される。したがって、発光部４１０を通じて放出された光は貫通部４５０を通じて内容物５により反射されるか他側の受光部４２０により受光される。
【０３３０】
受光部４２０は発光部４１０の他側の移動案内部１８０に設置されて発光部４１０から放出された光を受光する。
【０３３１】
受光部４２０の設置位置は前記したように移動案内部１８０に設置されることに限定されず、内容物５の吐出を感知できる多様な位置に設置され得る。
【０３３２】
この場合、通過作動部１２０には発光部４１０から放出された光が通過運動部１４０に放出されるように貫通部４５０が形成される。したがって、発光部４１０を通じて放出された光は貫通部４５０を通じて受光部４２０により受光され得る。
【０３３３】
したがって、発光部４１０から放出された光は貫通部４５０を通じて内容物５が吐出されるか否かによって、内容物５により反射されるか受光部４２０により受光され得る。
【０３３４】
センシング制御部４３０は既設定された設定周期ごとに発光部４１０を制御して光を放出させ、発光部４１０から放出された光が、受光部４２０により受光されるか否かにより通過作動部１２０を通じて吐出される内容物５を感知する。
【０３３５】
センシング制御部４３０が設定周期ごとに発光部４１０を制御して光を放出させることによって、ユーザーが不規則的な時間に内容物５を吐出させても内容物５の吐出を即刻に検出することができる。設定周期は調節され得るが、設定周期が減少するほど内容物５の吐出を漏れなく検出することができる。
【０３３６】
ここで、ハウジング１１０が内容物５が吐出されないように置かれた状態では通過作動部１２０により内容物５が吐出されない。
【０３３７】
反面、ハウジング１１０が傾いて内容物５が吐出される場合には、内容物５が通過作動部１２０を通じて吐出されるので、発光部４１０により放出された光は内容物５により一部又は全部が遮断されて受光部４２０に受光される光量が内容物５が通過しない場合に比べて少なくなる。
【０３３８】
したがって、受光部４２０により光が受光されないか受光部４２０により受光される光量が少ないとセンシング制御部４３０は通過作動部１２０により内容物５が移動するものと判断し、受光部４２０により光が受光されるとセンシング制御部４３０は通過作動部１２０により内容物５が吐出されないものと判断する。
【０３３９】
また、センシング制御部４３０は受光部４２０により光が受光されていない状態となった後、受光部４２０により再び受光されると通過作動部１２０により内容物５が吐出されたものと判断してもよい。
【０３４０】
さらに、センシング制御部４３０は傾きセンサ５３０により感知されたハウジング１の傾きが既設定された設定傾き以内である状態で、受光部４２０により光が受光されないと内容物５が吐出されたものと判断し、その反面、傾きセンサ５３０により感知されたハウジング１の傾きが既設定された設定傾きから外れた状態で、受光部４２０により光が受光されないと内容物５が吐出されていないものと判断してもよい。これを通じて内容物１が吐出される過程でジャム（ｊａｍ）現象などにより内容物５が吐出されていないにもかかわらず、内容物５が吐出されたと誤って判断する場合を未然に防止することができる。
【０３４１】
ここで、設定傾きは内容物５が吐出され得るハウジング１の傾きである。
【０３４２】
また、センシング制御部４３０は受光部４２０により光が受光されていない状態となった後、受光部４２０により再び受光されると通過作動部１２０により内容物５が吐出されたものと判断してもよい。
【０３４３】
さらに、センシング制御部４３０は傾きセンサ５３０により感知されたハウジング１の傾きが既設定された設定傾き以内である状態で、受光部４２０により光が受光されないと内容物５が吐出されたものと判断し、その反面、傾きセンサ５３０により感知されたハウジング１の傾きが既設定された設定傾きから外れた状態で、受光部４２０により光が受光されないと内容物５が吐出されていないものと判断してもよい。これを通じて内容物１が吐出される過程でジャム（ｊａｍ）現象などにより内容物５が吐出されていないにもかかわらず、内容物５が吐出されたと誤って判断する場合を未然に防止することができる。
【０３４４】
ここで、設定傾きは内容物５が吐出され得るハウジング１の傾きである。
【０３４５】
次いで、図２１を参照して本発明の第６実施例に係る通過装置の動作過程を説明する。
【０３４６】
まず、センシング制御部４３０は発光部４１０を制御して光を放出させる（Ｓ２００）。
【０３４７】
発光部４１０により放出された光は、内容物５が通過作動部１２０により内容物５が吐出されるか否かによって、内容物５によって遮断され得る。
【０３４８】
したがって、センシング制御部４３０は発光部４１０から放出された光が、受光部４２０により受光されるか否かを判断する（Ｓ２１０）。
【０３４９】
段階（Ｓ２１０）での判断結果、発光部４１０から放出された光が、受光部４２０により受光されないと、センシング制御部４３０は通過作動部１２０を通じて内容物５が吐出されるものと判断する（Ｓ２２０）。
【０３５０】
その反面、受光部４２０により光が受光されるとセンシング制御部４３０は通過作動部１２０を通じて内容物５が吐出されないものと判断する（Ｓ２３０）。
【０３５１】
また、センシング制御部４３０は受光部４２０により光が受光されていない状態となった後、受光部４２０により再び受光されると通過作動部１２０により内容物５が吐出されたものと判断してもよい。
【０３５２】
さらに、センシング制御部４３０は傾きセンサ５３０により感知されたハウジング１の傾きが既設定された設定傾き以内である状態で、受光部４２０により光が受光されないと内容物５が吐出されたものと判断し、傾きセンサ５３０により感知されたハウジング１の傾きが既設定された設定傾きから外れた状態で、受光部４２０により光が受光されないと内容物５が吐出されていないものと判断してもよい。
【０３５３】
一方、前記した過程で、センシング制御部４３０は受光部４２０により光が受光されていない状態となった後、受光部４２０により再び受光されると通過作動部１２０により内容物５が吐出されたものと判断してもよい。
【０３５４】
さらに、センシング制御部４３０は傾きセンサ５３０により感知されたハウジング１の傾きが既設定された設定傾き以内である状態で、受光部４２０により光が受光されないと内容物５が吐出されたものと判断し、その反面、傾きセンサ５３０により感知されたハウジング１の傾きが既設定された設定傾きから外れた状態で、受光部４２０により光が受光されないと内容物５が吐出されていないものと判断してもよい。
【０３５５】
図２２は本発明の第７実施例に係る内容物の吐出を感知する通過装置のブロック構成図であり、図２３は本発明の第７実施例に係る通過装置の動作過程を図示したフローチャートである。
【０３５６】
図２２を参照すると、本発明の第７実施例に係る内容物５の吐出を感知する通過装置はセンサモジュール５００を含む。
【０３５７】
本発明の第７実施例は図４および図５の実施例に適用され得る。
【０３５８】
センサモジュール５００はセンサ部５１０、傾きセンサ５３０およびセンシング制御部４３０を含み、センサ部５１０は内容物１が吐出されるか否かを感知するものであって、発光部４１０および受光部４２０を含む。
【０３５９】
傾きセンサ５３０はハウジング１の傾きを感知する。
【０３６０】
発光部４１０および受光部４２０の設置構造は前記した第３実施例と同じであるためここではその詳細な説明は省略する。
【０３６１】
センシング制御部４３０は既設定された設定周期ごとに発光部４１０を制御して光を放出させ、受光部４２０により受光される光量の変化量により通過作動部１２０を通じて吐出される内容物５を感知する。センシング制御部４３０が設定周期ごとに発光部４１０を制御して光を放出させることによって、ユーザーが不規則的な時間に内容物５を吐出させても内容物５の吐出を即刻に検出することができる。設定周期は調節され得るが、設定周期が減少するほど内容物５の吐出を漏れなく検出することができる。
【０３６２】
一方、ハウジング１１０が内容物５が吐出されないように置かれた状態では通過作動部１２０により内容物５が吐出されない。
【０３６３】
反面、ハウジング１が傾いて内容物５が吐出される場合には、内容物５が通過作動部１２０を通じて吐出され、この時、発光部４１０により放出された光は内容物５によって部分的に反射されて受光部４２０に受光された光量が変化するようになる。
【０３６４】
したがって、受光部４２０により受光された光量の変化量によりセンシング制御部４３０は通過作動部１２０を通じて内容物５が吐出されるか否かを判断する。
【０３６５】
すなわち、センシング制御部４３０は受光部４２０により受光された光量の変化量を既設定された設定変化量と比較し、比較結果によって通過作動部１２０を通じて内容物５が吐出されるか否かを感知するが、光量の変化量が設定変化量以上であれば内容物５が通過作動部１２０により吐出されるものと判断し、光量の変化量が設定変化量未満であれば内容物５が通過作動部１２０により吐出されないものと判断する。
【０３６６】
ここで、設定変化量は内容物５が通過作動部１２０により吐出されるものと判断することができる光量の変化量である。すなわち、内容物５が通過作動部１２０により吐出されない場合、発光部４１０から放出された光が内容物５により反射されないため光量の変化量が非常に少ない。反面、内容物５が通過作動部１２０により吐出される場合には発光部４１０から放出された光が内容物５により一部または全体が反射される。その結果、受光部４２０により受光された光量は内容物５の吐出によって変化するようになる。したがって、内容物５が通過作動部１２０により吐出されたものと判断することができる光量の変化量を設定変化量として事前に設定することによって、内容物５が通過作動部１２０を通じて吐出されたか否かを正確に判断することができる。
【０３６７】
また、センシング制御部４３０は受光部４２０により光量の変化量が設定変化量以上の状態となった後、光量の変化量が設定変化量以上に変化する前の状態となると通過作動部１２０により内容物５が吐出されたものと判断してもよい。
【０３６８】
さらに、センシング制御部４３０は傾きセンサ５３０により感知されたハウジング１の傾きが既設定された設定傾き以内である状態で、光量が光量の変化量が設定変化量以上の状態となると内容物５が吐出されたものと判断し、その反面、傾きセンサ５３０により感知されたハウジング１の傾きが既設定された設定傾きから外れた状態で、光量が光量の変化量が設定変化量以上の状態となると内容物５が吐出されていないものと判断してもよい。これを通じて内容物１が吐出される過程でジャム（ｊａｍ）現象などにより内容物５が吐出されていないにもかかわらず、内容物５が吐出されたと誤って判断する場合を未然に防止することができる。
【０３６９】
ここで、設定傾きは内容物５が吐出され得るハウジング１の傾きである。
【０３７０】
図２３を参照して本発明の第７実施例に係る通過装置の動作過程を詳細に説明する。
【０３７１】
図２３を参照すると、まずセンシング制御部４３０は発光部４１０を制御して光を放出させる（Ｓ３００）。
【０３７２】
発光部４１０により放出された光は内容物５が通過作動部１２０を通じて内容物５が吐出されるか否かによって、内容物５により部分または全体が遮断されてその結果、受光部４２０により受光される光量は内容物５の吐出によって変化するようになる。
【０３７３】
したがって、センシング制御部４３０は発光部４１０から放出された光が、受光部４２０により受光されるか否かを判断し（Ｓ３１０）、判断結果、発光部４１０から放出された光が、受光部４２０により受光されると、受光部４２０により受光された光量を確認する（Ｓ３２０）。
【０３７４】
受光部４２０により受光された光量が確認されることにより、センシング制御部４３０は光量を設定変化量と比較して光量が設定変化量以上であるか否かを判断する（Ｓ３３０）。
【０３７５】
段階（Ｓ３３０）での判断結果、光量が設定変化量以上であればセンシング制御部４３０は通過作動部１２０により内容物５が吐出されるものと判断し（Ｓ３４０）、反面、光量が設定変化量未満であればセンシング制御部４３０は通過作動部１２０により内容物５が吐出されないものと判断する（Ｓ３５０）。
【０３７６】
一方、前記した過程で、センシング制御部４３０は受光部４２０により光量の変化量が設定変化量以上の状態となった後、光量が光量の変化量が設定変化量以上の状態となると通過作動部１２０により内容物５が吐出されたものと判断してもよい。
【０３７７】
さらに、センシング制御部４３０は傾きセンサ５３０により感知されたハウジング１の傾きが既設定された設定傾き以内である状態で、光量が光量の変化量が設定変化量以上の状態となると内容物５が吐出されたものと判断し、その反面、傾きセンサ５３０により感知されたハウジング１の傾きが既設定された設定傾きから外れた状態で、光量が光量の変化量が設定変化量以上の状態となると内容物５が吐出されていないものと判断してもよい。
【０３７８】
図２４は本発明の第８実施例に係る内容物の吐出を感知する通過装置のブロック構成図であり、図２９は本発明の第８実施例に係る通過装置の動作過程を図示したフローチャートである。
【０３７９】
図２４を参照すると、本発明の第８実施例に係る内容物５の吐出を感知する通過装置はセンサモジュール５００を含む。
【０３８０】
本発明の第８実施例は図４〜図５の実施例に適用され得る。
【０３８１】
センサモジュール５００はセンサ部５１０、傾きセンサ５３０およびセンシング制御部４３０を含み、センサ部５１０は内容物１が吐出されるか否かを感知するものであって、発光部４１０および受光部４２０を含む。
【０３８２】
傾きセンサ５３０はハウジング１の傾きを感知する。
【０３８３】
発光部４１０および受光部４２０の設置構造は前記した第３実施例と同じであるためここではその詳細な説明は省略する。
【０３８４】
センシング制御部４３０は既設定された設定周期ごとに発光部４１０を制御して光を放出させ、受光部４２０により受光される光量により通過作動部１２０を通じて吐出される内容物５を感知する。
【０３８５】
センシング制御部４３０が設定周期ごとに発光部４１０を制御して光を放出させることによって、ユーザーが不規則的な時間に内容物５を吐出させても内容物５の吐出を即刻に検出することができる。設定周期は調節され得るが、設定周期が減少するほど内容物５の吐出を漏れなく検出することができる。
【０３８６】
一方、ハウジングが内容物５が吐出されないように置かれた状態では通過作動部１２０により内容物５が吐出されない。
【０３８７】
反面、ハウジングが傾いて内容物５が吐出される場合には、内容物５が通過作動部１２０を通じて吐出され、この時、発光部４１０により放出された光は内容物５によって部分的に反射されて受光部４２０に受光された光量は減少するようになる。
【０３８８】
したがって、センシング制御部４３０は受光部４２０により受光された光量により通過作動部１２０を通じて内容物５が吐出されるか否かを判断する。
【０３８９】
すなわち、センシング制御部４３０は受光部４２０により受光された光量を既設定された設定光量と比較し、比較結果によって通過作動部１２０を通じて内容物５の吐出を感知するが、光量が設定光量以下であれば内容物５が通過作動部１２０により吐出されるものと判断し、光量の変化量が設定光量を超過すると内容物５が通過作動部１２０により吐出されないものと判断する。
【０３９０】
ここで、設定光量は内容物５が通過作動部１２０により吐出されるものと判断することができる光量である。すなわち、内容物５が通過作動部１２０により吐出されない場合、発光部４１０から放出された光が内容物５により反射されないので光量は非常に多い。反面、内容物５が通過作動部１２０により吐出される場合には発光部４１０から放出された光が内容物５により一部または全体が反射されて、その結果、受光部４２０により受光された光量は内容物５が吐出される前に比べて減少するようになる。したがって、内容物５が通過作動部１２０により吐出されたものと判断することができる光量を設定光量として事前に設定することによって、内容物５が通過作動部１２０により吐出されたか否かを正確に判断することができる。
【０３９１】
また、センシング制御部４３０は受光部４２０により受光された光量が設定光量以上の状態となった後、光量が設定光量未満の状態となると通過作動部１２０により内容物５が吐出されたものと判断してもよい。
【０３９２】
さらに、センシング制御部４３０は傾きセンサ５３０により感知されたハウジング１の傾きが既設定された設定傾き以内である状態で、光量が設定光量未満の状態となると内容物５が吐出されたものと判断し、その反面、傾きセンサ５３０により感知されたハウジング１の傾きが既設定された設定傾きから外れた状態で、光量が設定光量未満の状態となると内容物５が吐出されていないものと判断してもよい。これを通じて内容物１が吐出される過程でジャム（ｊａｍ）現象などにより内容物５が吐出されていないにもかかわらず、内容物５が吐出されたと誤って判断する場合を未然に防止することができる。
【０３９３】
ここで、設定傾きは内容物５が吐出され得るハウジング１の傾きである。
【０３９４】
図２５は本発明の第８実施例に係る容器を傾けた時、相対的に小さくて平たい錠剤がセンサ部位を通って外部に吐出時の光量の変化を示した図面であり、図２６は本発明の第８実施例に係る容器を傾けた時、相対的に大きくて長い錠剤がセンサ部位を通って外部に吐出時の光量の変化を示した図面であり、図２７は本発明の第８実施例に係る容器を傾けた時、相対的に小さくて平たい錠剤が容器の入口の通過装置で引っかかった後容器を再び立てることによって容器の内部に再び進入する場合での光量の変化を示した図面であり、図２８は本発明の第８実施例に係る容器を傾けた時、相対的に大きくて長い錠剤が容器の入口の通過装置で引っかかった後容器を再び立てることによって容器の内部に再び進入する場合での光量の変化を示した図面である。
【０３９５】
図２５には相対的に小さくて平たい錠剤が吐出される場合での光量の変化が図示された。図２６の（ａ）と（ｂ）には相対的に小さくて平たい錠剤が吐出される場合の光量の変化と横軸を拡大した場合の光量の変化が図示された。発光部４１０から放出された光が、受光部４２０で検出される場合、発光部４１０から放出された光は錠剤によって反射されて受光部４２０には相対的に小さい光量で受光されることが分かる。因みに、図２６は錠剤が吐出される時、秒当たり５０個のサンプリングを遂行した結果である。ここで、横軸はサンプリング時間（ｔｉｍｅ  ｉｎｔｅｒｖａｌ、１＝２０ｍＳｅｃ）を示し、縦軸はサンプリング値を示す。
【０３９６】
錠剤の吐出をセンシングする原理は次の通りである。発光部４１０から光を送出し、受光部４２０では光検出素子を利用して通過した光の量を検出する。受光部４２０で検出されたアナログ値をＡＤＣ（Ａｎａｌｏｇ  ｔｏ  Ｄｉｇｉｔａｌ  Ｃｏｎｖｅｒｔｅｒ）で変換してサンプリング（Ｓａｍｐｌｉｎｇ）値を得、サンプリング値を利用して錠剤が通過するかを検出することができる。図３６は相対的に小さくて平たい錠剤が吐出される時、秒当たり５０個のサンプリングをした結果グラフである。
【０３９７】
図２６には相対的に大きくて長い錠剤が吐出される場合での光量の変化が図示された。図２６の（ａ）と（ｂ）には相対的に大きくて長い錠剤が吐出される場合の光量の変化と横軸を拡大した場合の光量の変化が図示された。発光部４１０から放出された光が、受光部４２０で検出される場合、発光部４１０から放出された光は錠剤によって反射されて受光部４２０には相対的に小さい光量で受光されることが分かる。因みに、図２６は錠剤が吐出される時、秒当たり５０個のサンプリングを遂行した結果である。ここで、横軸はサンプリング時間（ｔｉｍｅ  ｉｎｔｅｒｖａｌ、１＝２０ｍＳｅｃ）を示し、縦軸はサンプリング値を示す。
【０３９８】
錠剤の吐出をセンシングする原理は次の通りである。発光部４１０から光を送出し、受光部４２０では光検出素子を利用して通過した光の量を検出する。受光部４２０で検出されたアナログ値をＡＤＣ（Ａｎａｌｏｇ  ｔｏ  Ｄｉｇｉｔａｌ  Ｃｏｎｖｅｒｔｅｒ）で変換してサンプリング（Ｓａｍｐｌｉｎｇ）値を得、サンプリング値を利用して錠剤が通過するかを検出することができる。図３６は相対的に小さくて平たい錠剤が吐出される時、秒当たり５０個のサンプリングをした結果グラフである。
【０３９９】
図２７には相対的に小さくて平たい錠剤が容器の入口で引っかかった後再び吐出される場合での光量の変化が図示された。すなわち、図２７には容器を傾けた時、相対的に小さくて平たい錠剤が容器の入口の通過装置で引っかかった後容器を再び立てることによって容器の内部に再び進入する場合である。
【０４００】
図２７を参照すると、相対的に小さくて平たい錠剤が容器の入口で引っかかった状態では、発光部４１０から放出された光は、受光部４１０に相対的に小さく検出されるようになり、このような状態が持続するようになる。この後、ユーザーがハウジング１１０を立てると発光部４１０から放出された光は、受光部４２０にそのまま受光されるので、受光部４２０に受光された光量は相対的に再び高くなるようになる。
【０４０１】
横軸はサンプリング時間（ｔｉｍｅ  ｉｎｔｅｒｖａｌ、１＝２０ｍＳｅｃ）を示し、縦軸はサンプリング値を示す。モーションセンサの値を利用して再び入る場合をチェック（ｚ軸値を利用）する。
【０４０２】
この場合、相対的に小さくて平たい錠剤が容器の入口で引っかかった状態では、発光部４１０から放出された光は、受光部４１０に相対的に小さく検出され、このような状態が所定時間の間持続するところ、これに基づいて錠剤が吐出過程で通過装置１００に引っかかった状態となることを認知できるようになる。
【０４０３】
一方、ユーザーが錠剤を吐出させるためにハウジング１１０を再び傾けて錠剤が吐出されると、前記した図２５に図示された通り発光部４１０から放出された光は錠剤によって反射されて受光部４２０には相対的に小さい光量で受光されるようになる。
【０４０４】
図２８には相対的に大きくて長い錠剤が容器の入口で引っかかった後再び吐出される場合での光量の変化が図示された。すなわち、図２８には容器を傾けた時、相対的に大きくて長い錠剤が容器の入口の通過装置で引っかかった後容器を再び立てることによって容器の内部に再び進入する場合が図示された。
【０４０５】
図２８を参照すると、相対的に大きくて長い錠剤が容器の入口で引っかかった状態では、発光部４１０から放出された光は、受光部４１０に相対的に小さく検出されるようになり、このような状態が持続するようになる。この後、ユーザーがハウジング１１０を立てると発光部４１０から放出された光は、受光部４２０にそのまま受光されるので、受光部４２０に受光された光量は相対的に再び高くなるようになる。
【０４０６】
この場合、相対的に大きくて長い錠剤が容器の入口で引っかかった状態では、発光部４１０から放出された光は、受光部４１０に相対的に小さく検出され、このような状態が所定時間の間持続するところ、これに基づいて錠剤が吐出過程で通過装置１００に引っかかった状態となることを認知できるようになる。
【０４０７】
一方、ユーザーが錠剤を吐出させるためにハウジング１１０を再び傾けて錠剤が吐出されると、前記した図３７に図示された通り、発光部４１０から放出された光は錠剤によって反射されて受光部４２０には相対的に小さい光量で受光されるようになる。
【０４０８】
横軸はサンプリング時間（ｔｉｍｅ  ｉｎｔｅｒｖａｌ、１＝２０ｍＳｅｃ）を示し、縦軸はサンプリング値を示す。モーションセンサの値を利用して再び入る場合をチェック（ｚ軸値を利用）する。
【０４０９】
図２９を参照して本発明の第８実施例に係る通過装置の動作過程を詳細に説明する。
【０４１０】
図２９を参照すると、まずセンシング制御部４３０は発光部４１０を制御して光を放出させる（Ｓ４００）。
【０４１１】
発光部４１０により放出された光は内容物５が通過作動部１２０により内容物５が吐出されるか否かによって、内容物５により部分または全体が遮断されてその結果受光部４２０により受光される光量は内容物５の吐出によって減少するようになる。
【０４１２】
したがって、センシング制御部４３０は発光部４１０から放出された光が、受光部４２０により受光されるか否かを判断し（Ｓ４１０）、判断結果、発光部４１０から放出された光が、受光部４２０により受光されると、受光部４２０により受光された光量が設定光量以下であるか否かを判断する（Ｓ４２０）。
【０４１３】
段階（Ｓ４２０）での判断結果、光量が設定光量以下であれば、センシング制御部４３０は通過作動部１２０により内容物５が吐出されるものと判断し（Ｓ４３０）、反面光量が設定光量を超過するとセンシング制御部４３０は通過作動部１２０により内容物５が吐出されないものと判断する（Ｓ４４０）。
【０４１４】
一方、前記した過程でセンシング制御部４３０は受光部４２０により光量が設定光量以上の状態となった後、光量が設定光量未満の状態となると通過作動部１２０により内容物５が吐出されたものと判断してもよい。
【０４１５】
さらに、センシング制御部４３０は傾きセンサ５３０により感知されたハウジング１の傾きが既設定された設定傾き以内である状態で、光量が設定光量未満の状態となると内容物５が吐出されたものと判断し、その反面、傾きセンサ５３０により感知されたハウジング１の傾きが既設定された設定傾きから外れた状態で、光量が設定光量未満の状態となると内容物５が吐出されていないものと判断してもよい。
【０４１６】
因みに、本発明の技術的範囲はこれに限定されず、通過装置を通過する内容物の通過の可否を判断するセンサ部は距離センサ、速度センサ、磁気センサ、ビジョンセンサ、加速度センサ、角速度センサ、回転センサ、赤外線センサ、温度センサ、超音波センサ、温度センサ、タッチセンサ、傾斜度センサ、荷重センサ、圧力センサ、テンションセンサ、振動センサをさらに含むことができる。
【０４１７】
また、センサ部５１０は送信部４６０と受信部４７０の送受信媒体が一側または両側に配置されて、器具が運動する通過運動部１４０に接触せずに内容物５の通過を感知する方式で測定したり、通過装置の回転または運動の有無を通過運動部１４０と接触して通過運動部１４０の物理的回転作動を感知することも含むと言える。
【０４１８】
さらに、傾きセンサ５３０が設定傾き以上となると、センシング制御部４３０がセンサ部５１０を制御して内容物５の吐出を感知するのに必要な電力の消耗を最小化させることができるようにする。
【０４１９】
図３０は本発明の第９実施例に係る服薬管理装置のブロック構成図であり、図３１は本発明の第９実施例に係る服薬管理装置の服薬案内端末のブロック構成図であり、図３２は本発明の第９実施例に係る服薬案内端末のブロック構成図であり、図３３は本発明の第９実施例に係る服薬管理装置の動作過程を図示したフローチャートであり、図３４は本発明の第９実施例に係る服薬管理装置を有するハウジングの斜視図であり、図３５は本発明の第９実施例に係る服薬管理装置の通信システムであり、図３６は本発明の第９実施例に係る服薬管理装置の通信作動図である。
【０４２０】
図３０〜図３６に図示された通り、本発明の第９実施例に係る服薬管理装置はセンサモジュール５００、服薬案内端末６００および服薬管理サーバー７００を含む。
【０４２１】
センサモジュール５００は通過作動部１２０により排出される内容物５を感知する。センサモジュール５００で、内容物５の吐出を感知する方式は前記した実施例と同じであるためここではその詳細な説明を省略する。
【０４２２】
一方、センサモジュール５００のセンシング制御部４３０は、内容物５が感知され、その感知結果により服薬状態情報を生成して服薬案内端末６００に伝達する。
【０４２３】
センシング制御部４３０は内容物５の感知結果に基づいて服薬状態情報を生成し、生成された服薬状態情報を服薬案内端末６００に伝達する。
【０４２４】
服薬状態情報には内容物５の情報、内容物５の感知の有無および内容物５を感知した感知時間情報などが含まれる。内容物５の情報はセンシング制御部４３０等に事前に設定され得、内容物５の感知の有無および感知時間はセンサ部５１０の内容物５の感知の有無によりリアルタイムで検出され得る。
【０４２５】
図３１を参照すると、服薬案内端末６００はセンサモジュール５００から服薬状態情報の伝達を受け、服薬管理サーバー７００から服薬スケジュール情報が伝達され、この服薬スケジュール情報と服薬状態情報を利用して服薬管理情報を生成した後、生成された服薬管理情報を出力する。
【０４２６】
服薬スケジュール情報には内容物５の情報、服薬時刻、服薬間隔および内容物５別服薬量のうち少なくとも一つ以上が含まれる。このような服薬スケジュール情報は医師または薬剤師などの処方せんに基づいて服薬管理サーバー７００により生成され得る。
【０４２７】
ここで、服薬案内端末６００はスマート端末、コンピュータ、ノートパソコン、固定端末、およびＰＤＡ（Ｐｅｒｓｏｎａｌ  Ｄｉｇｉｔａｌ  Ａｓｓｉｓｔａｎｔ）等が採用され得る。固定端末としては服薬機などが採用され得る。
【０４２８】
服薬案内端末６００は入力部６１０、出力部６２０および服薬案内端末制御部６３０を含む。
【０４２９】
入力部６１０はユーザーから各種情報および制御命令の入力を受ける。入力部６１０を通じて入力される情報および制御命令にはユーザー情報、アプリケーションの実行命令、メニュー設定命令などのように、服薬案内端末６００の利用と動作および設定に対する情報と制御命令がすべて含まれ得る。このような入力部６１０としては機械式ボタンやタッチスクリーンなどが採用され得る。
【０４３０】
出力部６２０は服薬案内端末制御部６３０の制御信号に応答して各種情報を出力する。このような情報には服薬状態情報、服薬スケジュール情報、服薬管理情報などが含まれ得る。また、出力部６２０は映像または音声を通じて内容物５の誤用を警告する。
【０４３１】
このような出力部６２０は前記した情報または警告を映像または音声でそれぞれ出力する映像出力部と音声出力部をすべて含む。
【０４３２】
服薬案内端末制御部６３０はセンサモジュール５００から服薬状態情報の伝達を受け、服薬管理サーバー７００から服薬スケジュール情報の伝達を受けて服薬スケジュール情報と服薬状態情報を利用してユーザーに対する服薬管理情報を生成し、生成された服薬管理情報を出力部６２０を通じて出力する。
【０４３３】
すなわち、服薬案内端末制御部６３０はセンサモジュール５００から服薬状態情報が伝達され、服薬管理サーバー７００から服薬スケジュール情報が伝達されると、服薬状態情報と服薬スケジュール情報を比較して比較結果により服薬管理情報を生成して出力する。この場合、服薬案内端末制御部６３０は内容物の誤用を出力部６２０を通じて警告することができる。
【０４３４】
本実施例で誤用には、内容物５を定められた容量を服用しないこと、内容物５を定められた服薬時間に服薬しないこと、内容物５を服薬しないことなどのように、内容物５を服用しないか定められた処方せんにより服薬しないことがすべて含まれる。
【０４３５】
一方、服薬状態情報には内容物５の情報、内容物５の感知の有無および内容物５を感知した感知時間情報が含まれ、服薬スケジュール情報は内容物５の情報、服薬時刻、服薬間隔および内容物５別服薬量が含まれるところ、服薬案内端末制御部６３０はこれらの情報を比較分析してユーザーの内容物５に対する誤用の有無をチェックし、内容物５を正確に服用できるように管理する服薬管理情報を生成して出力する。
【０４３６】
例えば、服薬案内端末制御部６３０はユーザーが服薬時間に内容物５を服用しない場合には、定められた服薬時間に内容物５を服薬するように案内する文字や音声を出力し、定められた服用量を服薬しない場合には定められた服用量を服薬するように案内する文字や音声を出力することができる。
【０４３７】
また、服薬案内端末制御部６３０は前記したように、服薬管理サーバー７００から服薬スケジュール情報が伝達されると、服薬時刻および服薬間隔のうち少なくとも一つにより内容物５の情報および内容物５別服薬量のうち少なくとも一つ以上を出力部６２０を通じて出力する。
【０４３８】
すなわち、服薬案内端末制御部６３０は服薬時間または服薬間隔をチェックして、ユーザーが内容物５を服薬する服薬時間が到来すると、出力部６２０を通じて服薬しなければならない内容物５の情報および該当内容物５の服薬量を出力することによって、ユーザーが該当内容物５を正確な時間に定量服薬できるようにする。
【０４３９】
さらに、服薬案内端末制御部６３０は前記したように、服薬状態情報がセンサモジュール５００から伝達されると、この服薬状態情報を累積保存し、この服薬状態情報を利用して服薬履歴情報を生成する。服薬履歴情報には服薬した日付と時間、内容物５および服用量などが含まれる。
【０４４０】
その後、服薬案内端末制御部６３０は入力部６１０から入力された制御命令により服薬履歴情報、例えば服薬した日付と時間、内容物５および服用量などを出力する。
【０４４１】
したがって、ユーザーが自分が服薬した時間と内容物５および服用量などを時間的な順序に沿って容易に認知することができる。
【０４４２】
服薬管理サーバー７００は医師または薬剤師などの端末から処方せん情報を収集し、収集した処方せん情報を利用して服薬スケジュール情報を生成した後、生成された服薬スケジュール情報を服薬案内端末６００に伝達する。
【０４４３】
このような服薬管理サーバー７００は処方せん情報収集部７１０、服薬スケジュール情報生成部７２０、および制御サーバー７３０を含む。
【０４４４】
処方せん情報収集部７１０は医師または薬剤師などの端末から各ユーザー別に処方せん情報を収集する。
【０４４５】
服薬スケジュール情報生成部７２０は処方せん情報収集部７１０により収集された処方せん情報を利用して、各ユーザー別に服薬スケジュール情報を生成および更新する。
【０４４６】
制御サーバー７３０は処方せん情報収集部７１０を制御して医師または薬剤師などの端末（図示しない）から処方せん情報を収集する。その後、制御サーバー７３０は服薬スケジュール情報生成部７２０を制御して服薬スケジュール情報を生成する。
【０４４７】
このように服薬スケジュール情報が生成されると、制御サーバー７３０は該当ユーザーのユーザー情報を検出し、このユーザー情報、例えば連絡先情報に基づいて該当ユーザーの服薬案内端末６００に服薬スケジュール情報を伝達する。
【０４４８】
以下本発明の第９実施例に係る服薬管理方法を図３２および図３３を参照して説明する。
【０４４９】
図３２を参照すると、まず服薬管理サーバー７００の制御サーバー７３０は処方せん収集部を利用して医師または薬剤師などの端末から各ユーザー別に処方せん情報を収集する。
【０４５０】
処方せん情報が収集されると、制御サーバー７３０は服薬スケジュール情報生成部７２０を制御して処方せん情報を通じて服薬スケジュール情報を生成するようにし、服薬スケジュール情報生成部７２０により服薬スケジュール情報が生成されると、生成されたユーザー服薬スケジュール情報を保存する（Ｓ５１０）。
【０４５１】
併せて、服薬スケジュール情報が生成されることによって、制御サーバー７３０は該当ユーザーのユーザー情報を検出し、このユーザー情報のうち連絡先情報を利用して該当ユーザーの服薬案内端末６００に服薬スケジュール情報を伝達する（Ｓ５２０）。
【０４５２】
服薬スケジュール情報が伝達されると、服薬案内端末６００は該当服薬スケジュール情報を保存し（Ｓ５３０）、センサモジュール５００から伝達された服薬状態情報および服薬スケジュール情報を利用してユーザーに対する服薬管理過程を遂行する（Ｓ５４０）。
【０４５３】
図３３を参照すると、まず服薬案内端末６００の服薬案内端末制御部６３０は服薬管理サーバー７００から服薬スケジュール情報が伝達されると、この服薬スケジュール情報を保存する。
【０４５４】
その後、服薬案内端末制御部６３０はこの服薬スケジュール情報の服薬時間をチェック（Ｓ６１０）し、現在時間が服薬時間と一致するか否かを判断する。
【０４５５】
判断結果、現在時間が服薬時間と一致すると、服薬案内端末制御部６３０は服薬時間により服薬案内情報、例えば内容物５の情報および内容物５別服薬量のうち少なくとも一つ以上を出力部６２０を通じて出力する（Ｓ６２０）。
【０４５６】
これにより、ユーザーは服薬時間が到来したことを認知するようになり、内容物５の情報と内容物別服薬量を参照して服薬するようになる。
【０４５７】
この場合、ユーザーは内容物を吐出させるために内容物移動器具１を傾けるようになり、これによって内容物５が通過作動部１２０により吐出される。
【０４５８】
この時、センシング制御部４３０はセンサ部５１０を通じて内容物５が吐出されるか否かを判断する。
【０４５９】
このようにセンシング制御部４３０は内容物５の吐出の有無に基づいて服薬状態情報を生成し、生成された服薬状態情報を服薬案内端末６００に伝達する。
【０４６０】
一方、服薬案内端末制御部６３０はセンシング制御部４３０から伝達される服薬状態情報を収集し続け（Ｓ６３０）、この服薬状態情報と服薬管理サーバー７００から伝達された服薬スケジュール情報を利用してユーザーに対する服薬管理情報を生成し、生成された服薬管理情報を出力部６２０を通じて出力する。
【０４６１】
すなわち、服薬案内端末制御部６３０は服薬状態情報と服薬スケジュール情報を比較して比較結果により服薬管理情報を生成して出力するが、ユーザーが内容物５を定められた容量を服用しないか、内容物５を定められた服薬時間に服薬しないか、内容物５を服薬しないなどの誤用の有無を確認し、その確認結果を出力する（Ｓ６４０、Ｓ６５０）。
【０４６２】
併せて、服薬案内端末制御部６３０は前記したように服薬状態情報がセンサ端末から伝達されると、この服薬状態情報を累積保存し、この服薬状態情報を利用して服薬履歴情報を生成する。
【０４６３】
一方、センシングモジュール５００は、感知または測定したデータまたは内容物通過手段１２３の作動によって内容物が通過作動部１２０を通過したか否かを、視覚、聴覚および触覚のうち少なくとも一つのユーザー感覚方法で認知可能なように表示部８００をさらに含むことができる。表示部８００は数字、文字、記号、点字、発光、点灯および色相のうち少なくとも一つで表示され得る。
【０４６４】
一方、センシング制御部４３０はユーザーが服薬時間に内容物５を服用しない場合には、定められた服薬時間に内容物５を服薬するように案内する文字や音声を出力し、定められた服用量を服薬しない場合には定められた服用量を服薬するように案内する文字や音声を出力することができる。
【０４６５】
センシング制御部４３０は内容物が通過した数量、日時、曜日および時間のうち少なくとも一つを検出することができる。
【０４６６】
すなわち、センシング制御部４３０は図４５に図示された通り、感知または測定したデータまたは内容物通過手段１２３の作動によって内容物が通過作動部１２０を通過したか否かを、視覚、聴覚および触覚のうち少なくとも一つのユーザー感覚方法で認知可能なように表示部８００を通じて表示する。表示部８００は数字、文字、記号、点字、発光、点灯および色相のうち少なくとも一つで表示され得る。
【０４６７】
一方、センシング制御部４３０は内容物が一定期間または時間に定められた量が内容物通過手段１２３を通過するのを感知したり、内容物が定められた量を超過して内容物通過手段１２３を通過するのを感知すると、内容物通過手段１２３の内容物移動作動を制限してもよい。
【０４６８】
内容物が内容物通過手段１２３を通過時に内容物の通過を感知するセンサモジュール５００を含み、センサモジュール５００を通じて感知された内容物の通過の有無または通過数量を判断し、判断された内容物の通過の有無または通過数量、または判断された通過の有無または通過数量と共に通過時点の日時、曜日、時間のうち少なくとも一つ以上のデータを表示部８００に表示することができる。表示部８００の表示はＬＣＤまたはＬＥＤを利用した数字、文字、記号、信号のうち少なくとも一つであり得る。
【０４６９】
センシング制御部４３０は感知または測定したデータを送信する通信部を含むことができる。センサ制御部５００は感知された内容物の通過の有無または通過数量を判断し、判断された内容物の通過の有無または通過数量、または判断された通過の有無または通過数量と共に通過時点の日時、曜日、時間のうち少なくとも一つ以上のデータを通信部を通じて近接または遠隔に送信することができる。
【０４７０】
そして、センサ制御部４３０は内容物通過手段１２３を通過した内容物を感知して、指定された量の内容物が通過したと判断されると、それ以上の内容物が通過装置を通過しないようにロック部を含むことができる。ロック部は通過装置に備えられ、内容物通過手段１２３の運動を遮断したり通過作動部１２０内での内容物の移動経路を遮断するようになる。
【０４７１】
この時、内容物通過手段１２３の運動の遮断は、内容物通過手段の運動部位を接触抵抗してなされ、通過作動部１２０内での移動経路の遮断は、内容物の通過進入側と通過排出側に備えられる通過通路部で内容物を遮断したり抵抗してなされ得る。ロック部は、侵害患者の服用制限が必要な服用薬や正常な人の摂取制限が必要な食品のように、統制が必要な場合、指定された時間または状況終了以前にロック状態を維持することができる。
【０４７２】
また、内容物の表面または内容物の内部に数字、文字、記号のうち少なくとも一つを表示して、内容物通過手段１２３を通過した内容物または内容物通過手段１２３を通過していない内容物の表示を観察することができる。
【０４７３】
図３５は本発明の第９実施例に係る服薬データ管理システムのデータフローチャートであって、（１）定量吐出スマート薬剤ディスペンサーを通じてユーザーが処方薬を服用時、薬を服用する患者が薬剤容器を傾ける動作だけで容器の内容物を定量だけ通過させることによって、錠剤形態の医薬品または健常機能食品を一度に一粒ずつ吐出させて、簡便で衛生的であり、内容物の変質を予防する機能と共に、（２）ディスペンサーに付着された薬剤吐出センサを通じてのセンシングデータの収集が可能であることにより、ディスペンサーに薬剤の吐出をチェックするセンサの付着を通じて患者の体系的な服薬管理のための薬剤ディスペンサーを開発し、（３）センシングされたデータの通信モジュール基盤ユーザーのスマートフォンおよびコンピュータなどで１次収集をした後、（４）１次情報をデータおよび応用プログラムサーバーで２次情報に加工して関連者に提供すると共に、（５）関連機関で服薬情報データを分析後に服薬指導事項をユーザーに伝達することによって、これを活用した遠隔服薬管理システムを構築することができる。
【０４７４】
特に、服薬管理のために薬剤吐出チェックセンサを付着することができる。患者の義務事項である服薬状態をチェックするための薬剤吐出チェックセンサおよびブルートゥース（ＢｌｕｅＴｏｏｔｈ）等を利用した通信装備を付着することができる。また、原価節減と製作効率性のために一体型センサおよび通信一体型装置を設計して適用することができる。
【０４７５】
病気の治療効果を最大化するためには医療行為の主体である医療スタッフ（医師、薬剤師）だけでなく、医療サービス利用者である患者も医療行為に対する患者の義務に対する積極的な履行が必要であり、これは本実施例のように遠隔服薬システムを通じて可能である。
【０４７６】
薬剤ディスペンサーに付着されたセンサで収集されたデータを、通信モジュールを利用してスマートフォンまたはシングルボードコンピュータを利用した特化装備を利用して１次収集することができる。１次収集された情報をサーバーに伝送し、サーバーで収集された二次情報を加工して医師、薬剤師、医療保険公団などに提供することができる。
【０４７７】
スマートフォンまたは特化装備は患者に服薬義務事項を告知し、投薬時期および投薬量を持続的に告知および未服薬時に持続的な警告を送出することができる。スマートフォンを使用できない高齢者などの患者のために、ブルートゥースとＷｉ−Ｆｉ（Ｗｉｆｉ）が内蔵されたシングルボードコンピュータ（例：Ｒａｓｐｂｅｒｒｙ  Ｐｉ）を利用した特化装備を構成することができる。
【０４７８】
図３６は本発明の第９実施例に係る服薬データ管理技術適用を示したフローチャートであって、ｍ１のように薬剤吐出装備付きスマート薬剤ディスペンサーは吐出器、センサ、ブルートゥース通信モジュールで構成される。ｍ１は、ｍ２−１（移動型装備：スマートフォン）またはｍ２−２（固定型装備：シングルボードコンピュータ）とｃ１（ブルートゥース通信）で通信することができる。また、ｍ２−１とｍ２−２は、ｍ３（サーバー）とｃ２（ネットワーク網）で通信することができる。
【０４７９】
ｍ３は、Ｅｘ１（関連機関サーバー）とｃ３（ｏｐｅｎ−ａｐｉまたはＥＡＩに連結）で通信する。ここでｃ１は、吐出量の送信およびＥｒｒｏｒまたはｃｏｎｆｉｒｍ信号を伝達する。ｃ２は、ｍ２が吐出量をｍ３に送信およびｍ３が服薬管理内容をｍ２に送信するようになる。ｃ３は、ｍ３が吐出量の統計をＥｘ１に送信およびＥｘ１が服薬管理内容をｍ３に送信することができる。ｃ３通信はｏｐｅｎ  ａｐｉまたは異種ＤＢ連結プロトコルであるＥＡＩに連結する。
【０４８０】
図３７は本発明の第１０実施例に係る服薬管理装置のブロック構成図であり、図３８は本発明の第１０実施例に係るディスペンサーのブロック構成図であり、図３９は本発明の第１０実施例に係る基板の斜視図であり、図４０は本発明の第１０実施例に係るディスペンサーの断面図であり、図４１〜図４３は本発明の第１０実施例に係るディスペンサーの内容物吐出過程を図示した図面であり、図５５は本発明の第１０実施例に係る管理端末のブロック構成図である。
【０４８１】
図３７を参照すると、本発明の一実施例に係る服薬管理装置は容器１１、ディスペンサー２０、管理端末３０および管理サーバー４０を含む。
【０４８２】
ハウジング１０は内容物５０を入れるものであって、容器１１と蓋１２を含む。
【０４８３】
内容物５０は固形物、粉末または液状などのように通過可能なものとする。
【０４８４】
容器１１は上部が開放された円筒形で形成されて内部に容器１１を入れる。容器１１の上部にはディスペンサー２０が設置される。ディスペンサー２０は容器１１の内部の内容物５０が既設定された量だけずつ定量吐出されるようにする。これについては後述する。
【０４８５】
蓋１２は容器１１の上端部に設置され、ディスペンサー２０を保護する。
【０４８６】
ディスペンサー２０は容器１１に設置されて容器１１の内部にある内容物５０の吐出を管理する。
【０４８７】
ディスペンサー２０は容器１１に設置されて容器１１の内部にある内容物５０を既設定された服薬時間に既設定された量だけずつ定量吐出させてユーザーの定時服薬および定量服薬を誘導する。
【０４８８】
ディスペンサー２０により吐出される内容物５０の量は内容物５０の特性により多様に設定され得るが、内容物５０が固形物の場合、１回の作動時に１個の内容物５０だけを吐出させるように設定され得る。
【０４８９】
ディスペンサー２０は内容物５０を外部に吐出させながら内容物５０が実際に吐出されるか否かを感知して服薬情報を生成し、このような服薬情報を管理端末３０または管理サーバー４０に伝達する。ディスペンサー２０は服薬情報に基づいてユーザーが服薬スケジュール情報により服薬するかを管理する。この時、ディスペンサー２０はユーザーの定時服薬および定量服薬のために設定された作動シナリオに沿って服薬案内情報を出力する。
【０４９０】
図３８を参照すると、ディスペンサー２０は通過部２１、センサ部２２、遮断部２３、服薬制御部２４、ディスペンサー出力部２５および除湿部２６を含む。
【０４９１】
通過部２１はハウジング１０の容器１１に設置されて内容物５０を容器１１の外部に既設定された量だけずつ定量吐出させる。すなわち、通過部２１は内容物５０を定量または需要量だけ移動を誘導する役割をする。ここで、定量は同じ個数や量、および誤差、許容範囲内で互いに異なる移動量や個数を意味する。需要量はユーザーが必要とする量（個数）であって、定量の範疇に含まれ得る。
【０４９２】
通過部２１は図５０に図示された通り、基板２７に設置される。基板２７は蓋１２と後述する蓋１２の間に配置される。
【０４９３】
通過部２１はバルブ部２１１および支持部２１２を含む。
【０４９４】
支持部２１２はバルブ部２１１を支持する。支持部２１２は容器１１の上端部の内周面に対応するように形成され、支持部２１２には通過部２１を支持するための装着部２１２ａが形成される。
【０４９５】
装着部２１２ａは支持部２１２に丸みを帯びるように形成されてバルブ部２１１を支持するが、後述するバルブ部２１１の運動部材２１１ａが装着溝２１２ａに装着されて既設定された角度範囲内で回転する。
【０４９６】
バルブ部２１１は容器１１の内側に備えられて内容物５０の移動を案内し、内容物５０が既設定された量だけずつ吐出されるようにする。
【０４９７】
バルブ部２１１は運動部材２１１ａ、開放部材２１１ｂ、閉鎖部材２１１ｄおよびガイド部２１５を含む。
【０４９８】
運動制御部材２１１ｃは自重によって開放部材２１１ｂおよび閉鎖部材２１１ｄを回転させる。運動制御部材２１１ｃの両側端部には運動部材２１１ａが形成され、この運動部材２１１ａが装着部２１２ａに設置されて自重によって時計回り方向に回転して開放部材２１１ｂおよび閉鎖部材２１１ｄを回転させるようになる。
【０４９９】
開放部材２１１ｂは運動制御部材２１１ｃから板状に突出形成されるものの、線形に折れ曲がるか曲面で形成され得る。このような開放部材２１１ｂは内容物５０が外部に吐出されることを遮断する。
【０５００】
しかし、容器１１が内部の内容物５０が外部に吐出され得る程度に傾くようになると、運動制御部材２１１ｃがその自重によって回転するようになり、この時、開放部材２１１ｂも回転しながら開放されて開放部２１４にある内容物５０が外部に吐出されるようになる。
【０５０１】
閉鎖部材２１１ｄは線形に折れ曲がるか曲面で形成されて開放部２１４を少なくとも一部を閉鎖して、内容物５０が定量を超過して開放部２１４に流入することを防止する。
【０５０２】
すなわち、容器１１が回転すると、開放部材２１１ｂと閉鎖部材２１１ｄに形成される開放部２１４には閉鎖部材２１１ｄにより定量だけの内容物５０が位置するようになり、その後容器１１が回転し続けると、開放部材２１１ｂも回転するようになって開放部２１４が開放されることによって、開放部２１４にあった内容物５０が外部に吐出されるようになる。
【０５０３】
ガイド部２１５は内容物５０が前記した開放部２１４に流入するようにガイドする。ガイド部２１５の形状は特に限定されず、内容物５０が開放部２１４に流入することができる多様な形態と構造で形成され得る。
【０５０４】
すなわち、図４０に図示された通り、容器１１が立てられている状態では閉鎖部材２１１ｄが内容物５０を遮断するようになる。
【０５０５】
しかし、内容物５０が外部に吐出され得るほどに傾く場合には、図５６に図示された通り、内容物５０がガイド部２１５に沿ってガイドされ、この時、運動制御部材２１１ｃがその自重によって回転するようになることによって、内容物５０がガイド部２１５を通じて開放部２１４に位置するようになる。この場合、閉鎖部材２１１ｄにより他の内容物５０が遮断され、開放部２１４には定量の内容物５０だけが位置するようになる。
【０５０６】
その後、容器１１が外部に完全に吐出され得るほどに完全に傾くようになると、運動制御部材２１１ｃもさらに傾くようになり、この時、開放部材２１１ｂにより開放部２１４が外部に開放されて開放部２１４に位置していた内容物５０が図４３に図示されたように外部に吐出される。
【０５０７】
一方、閉鎖部材２１１ｄは前記したように折り曲げ形成されることによって、引き続き流入する内容物５０を遮断する。
【０５０８】
その結果、容器１１の内部の内容物５０が吐出され得る角度に傾くようになっても、１個の内容物５０すなわち、定量だけの内容物５０が外部に吐出されるようになり、その後容器１１が立てられると内容物５０は自重によって下に落ちるようになり、この時、運動制御部材２１１ｃの自重によって開放部材２１１ｂも回転するようになって開放部２１４が閉鎖される。
【０５０９】
センサ部２２は図４９に図示された通り、基板２７に設置されて通過部２１を通じて実際に通過する内容物５０を感知する。
【０５１０】
例えば、センサ部２２は光や電波などを利用して内容物５０を感知することができ、内容物５０を感知できるものであれば特に限定されない。
【０５１１】
遮断部２３は通過部２１を通じて通過する内容物５０の通過時間に基づいて通過部２１１の作動を遮断する。
【０５１２】
例えば、遮断部２３は以前に内容物５０が通過した時間から服薬間隔が経過する前に、内容物５０が吐出され得る程度の角度に容器１１が傾くか、または既服薬時間が到来する前に内容物５０が吐出され得る程度の角度に容器１１が傾くと、通過部２１の作動を遮断する。
【０５１３】
遮断部２３ではバルブ部２１１の回転を遮断するヒンジやピボットが採用されるか、開放部材２１１ｂまたは閉鎖部材２１１ｄの回転を遮断するロッキング部材（図示されず）が採用され得る。このようなロッキング部材はモーターの駆動や電磁石等を通して作動され得る。
【０５１４】
ここで、遮断部２３は内部に容器１１の傾きを感知する傾きセンサを具備することができ、傾きセンサによって感知した容器１１の傾きが内容物５０が吐出され得る程度の角度以上になると、通過部２１の作動を遮断することができる。
【０５１５】
前記したように、遮断部２３が服薬間隔を調節することによって、ユーザーの定量服薬または定時服薬を誘導し、ユーザーの過多服用や中毒の可能性を未然に防止する。
【０５１６】
除湿部２６は容器１１の内部に設置されて容器１１の内部の湿気を除去する。除湿部２６は容器１１の内部に設置され得るが、クリップ（図示されず）を利用して容器１１の内部に設置され得る。
【０５１７】
ディスペンサー出力部２５はユーザーの定時服薬および定量服薬のための服薬案内情報を出力する。服薬案内情報には服薬時間と服薬量が含まれ得る。
【０５１８】
すなわち、ディスペンサー出力部２５はユーザーの定時および定量服薬のために既設定された作動シナリオに沿って服薬案内情報を出力するものであって、現在時間が服薬時間となると、ユーザーに服薬時間が到来したことを映像または音声で案内する。
【０５１９】
ディスペンサー出力部２５としてはＬＥＤ（Ｌｉｇｈｔ  Ｅｍｉｔｔｉｎｇ  Ｄｉｏｄｅ）またはディスプレイ機器が採用され得る。
【０５２０】
ディスペンサー出力部２５がＬＥＤの場合、ＬＥＤは服薬時間が到来すると緑色灯を点滅させ、服薬時間が経過したにもかかわらず内容物５０がセンサ部２２により感知されないと赤色灯を点滅させる。その後内容物５０がセンサ部２２により感知されると、１回または複数回点滅を繰り返した後、消灯する。反面、ディスペンサー出力部２５は服薬時間が到来したことを点滅間隔を調節して案内してもよい。
【０５２１】
ディスペンサー出力部２５がディスプレイ機器の場合、ディスプレイ機器は服薬時間が到来したことを映像や文字などで出力することができる。
【０５２２】
さらに、ディスペンサー出力部２５は容器１１の内部にある内容物５０の残量を出力してもよい。
【０５２３】
このようなディスペンサー出力部２５は容器１１の外側面に設置されてユーザーが服薬案内情報を容易に認知できるようにする。
【０５２４】
服薬制御部２４はセンサ部２２により内容物５０の感知の有無に基づいて感知情報を生成し、生成された感知情報に基づいてユーザーの服薬を管理する。
【０５２５】
まず、服薬制御部２４はユーザー名、服薬時間と服薬回数などの服薬スケジュール情報を事前に保存し、このような服薬スケジュール情報によりユーザーが服薬時間と服薬回数を守れるように管理する。
【０５２６】
服薬制御部２４はセンサ部２２により内容物５０が感知されると、内容物５０を感知した感知時間と内容物５０を感知した感知回数を累積保存し、このような感知時間および感知回数に基づいて服薬情報を生成する。服薬情報には服薬時間および服薬回数が含まれ得る。
【０５２７】
服薬制御部２４は前記したように服薬情報が生成されると、この服薬情報を管理端末３０または管理サーバー４０に通信網を通じて伝達する。服薬時間と服薬回数を管理端末３０または管理サーバー４０に伝達する場合、服薬制御部２４と管理端末３０、または服薬制御部２４と管理サーバー４０間に正常な通信が行われない可能性がある。したがって、服薬制御部２４は複数個の服薬情報を一括して伝達してもよい。このように、服薬制御部２４は服薬情報をリアルタイムで伝達できるが、通信状態などにより一括して伝達してもよい。
【０５２８】
通信網としては、ブルートゥース、Ｗｉｆｉ、無線インターネット、ＬＴＥ（Ｔｅｒｍ  Ｅｖｏｌｕｔｉｏｎ）等の多様な通信網が採用され得る。
【０５２９】
服薬制御部２４はディスペンサー出力部２５を制御してユーザーの定時服薬および定量服薬のための服薬案内情報を出力する。
【０５３０】
すなわち、服薬制御部２４はユーザーの定時および定量服薬のために既設定された作動シナリオに沿って服薬案内情報を出力するが、現在時間が服薬時間となると、ディスペンサー出力部２５を制御してユーザーに服薬時間が到来したことを映像または音声で案内し、容器１１の内部にある内容物５０の残量を出力してもよい。
【０５３１】
さらに、服薬制御部２４は前記したように遮断部２３が作動すると、保護者の端末（図示されず）に異常な服薬の試みがあったことを伝達したり、服薬スケジュール情報により遮断部２３を制御して服薬スケジュール情報により服薬が行われ得るようにする。すなわち、服薬制御部２４は現在時間が服薬時間に含まれると遮断部２３を解除してユーザーが服薬できるようにし、現在時間が服薬時間に含まれないと該当遮断部２３を制御してバルブ部２１１の作動を遮断してユーザーが服薬できないようにすることによって、ユーザーが正常に服薬できるようにする。
【０５３２】
管理端末３０はディスペンサー２０の作動による内容物５０の吐出の有無に基づいて服薬情報を生成し、生成された服薬情報を管理サーバー４０に伝達する。
【０５３３】
管理端末３０は端末出力部３２、服薬管理情報生成部３１、および端末制御部３３を含む。
【０５３４】
端末出力部３２は服薬管理情報を出力する。
【０５３５】
服薬管理情報生成部３１は通過部２１の服薬情報を分析して服薬管理情報を生成する。すなわち、服薬管理情報生成部３１は通過部２１の服薬情報を既設定された服薬スケジュール情報と対比させて服薬案内情報を生成するが、通過部２１の作動情報を既保存された服薬スケジュール情報と対比させて服薬スケジュール情報との一致の有無により服薬管理情報を生成することができる。
【０５３６】
服薬案内情報はユーザーが定時服薬および定量服薬できるように案内する情報である。
【０５３７】
端末制御部３３はディスペンサー２０から服薬情報が伝達されると、服薬管理情報生成部３１を通じて服薬情報を利用して服薬管理情報を生成し、生成された服薬管理情報を端末出力部３２を通じて出力する。これに伴い、ユーザーが服薬管理情報を認知して既設定された服薬スケジュール情報により服薬できるようになる。
【０５３８】
また、端末制御部３３は服薬情報を通じて服薬管理情報が生成されると、この服薬管理情報によりディスペンサー２０を制御してディスペンサー２０が該当制御命令によりユーザーの服薬を誘導する。
【０５３９】
例えば、端末制御部３３は既設定された服薬時間が到来すると、ディスペンサー２０を制御して遮断部２３の作動を制限し、現在時間が既設定された服薬時間が到来していない場合には、ディスペンサー２０を制御して遮断部２３を通じて通過部２１の作動を遮断するようにすることによって、異常な服薬を未然に防止する。
【０５４０】
さらに、端末制御部３３は服薬管理情報を管理サーバー４０に伝達して管理サーバー４０が該当服薬情報に基づいて多様な分野に利用できるようにする。
【０５４１】
ここで、管理端末３０はユーザーのスマート端末などが採用され得るが、この他にも別途の中継機能を具備した中継機も採用され得る。
【０５４２】
管理サーバー４０はディスペンサー２０および管理端末３０のうち少なくとも一つからディスペンサー２０の服薬情報を収集し、収集された服薬情報を加工して公共福祉高齢者ケア、臨床実験、供給量と服薬量の比較、製薬会社の薬品在庫管理、流通会社の在庫管理、病院の医師の診療、保険会社の保険金関連商品、医療機器会社などに利用する。
【０５４３】
図４５〜図４７を参照すると、一実施例として管理端末に連結されるディスペンサーの全体構造およびプラグキャップの構造が図示されている。
【０５４４】
本発明は図面に図示された実施例を参照して説明されたが、これは例示的なものに過ぎず、当該技術が属する分野で通常の知識を有する者であればこれから多様な変形および均等な他の実施例が可能であることが理解できるであろう。したがって、本発明の真の技術的保護範囲は下記の特許請求の範囲によって定められるべきである。
【０５４５】
本発明によると、収容器具から吐出される内容物の量を正確に感知し、これに基づいてユーザーの定量服薬が行われるようにすることができる。
【図１】
2020528853.tif 000003
【図２】
2020528853.tif 000004
【図３】
2020528853.tif 000005
【図４】
2020528853.tif 000006
【図５】
2020528853.tif 000007
【図６】
2020528853.tif 000008
【図７】
2020528853.tif 000009
【図８】
2020528853.tif 000010
【図９】
2020528853.tif 000011
【図１０】
2020528853.tif 000012
【図１１】
2020528853.tif 000013
【図１２】
2020528853.tif 000014
【図１３】
2020528853.tif 000015
【図１４】
2020528853.tif 000016
【図１５】
2020528853.tif 000017
【図１６】
2020528853.tif 000018
【図１７】
2020528853.tif 000019
【図１８】
2020528853.tif 000020
【図１９】
2020528853.tif 000021
【図２０】
2020528853.tif 000022
【図２１】
2020528853.tif 000023
【図２２】
2020528853.tif 000024
【図２３】
2020528853.tif 000025
【図２４】
2020528853.tif 000026
【図２５】
2020528853.tif 000027
【図２６】
2020528853.tif 000028
【図２７】
2020528853.tif 000029
【図２８】
2020528853.tif 000030
【図２９】
2020528853.tif 000031
【図３０】
2020528853.tif 000032
【図３１】
2020528853.tif 000033
【図３２】
2020528853.tif 000034
【図３３】
2020528853.tif 000035
【図３４】
2020528853.tif 000036
【図３５】
2020528853.tif 000037
【図３６】
2020528853.tif 000038
【図３７】
2020528853.tif 000039
【図３８】
2020528853.tif 000040
【図３９】
2020528853.tif 000041
【図４０】
2020528853.tif 000042
【図４１】
2020528853.tif 000043
【図４２】
2020528853.tif 000044
【図４３】
2020528853.tif 000045
【図４４】
2020528853.tif 000046
【図４５】
2020528853.tif 000047
【図４６】
2020528853.tif 000048
【図４７】
2020528853.tif 000049
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
内容物を移動案内するための通過作動部；
前記通過作動部に回動可能に備えられて内容物が通過するように運動する通過運動部；および
前記通過作動部に備えられ、前記通過運動部の一端の回動運動によって吐出される内容物を感知する感知部を含み、
前記感知部は前記感知した内容物の情報を検出することを特徴とする、通過装置。
【請求項２】
前記通過運動部は、設定量を超過する内容物の通過を妨害する閉鎖部材をさらに含み、
通過作動部が傾く場合、通過運動部の重心位置と通過運動部の回転中心位置の差によって通過運動部の回転運動が抑止されるか遅延されることを特徴とする、請求項１に記載の通過装置。
【請求項３】
前記感知部は、前記通過運動部の回動運動によって吐出される内容物の方向に光を放出する少なくとも一つの発光部、前記発光部から放出された光を受光する少なくとも一つの受光部、および前記発光部から放出された後前記受光部により受信された光を利用して前記通過作動部を通じて吐出される内容物を感知するセンシング制御部を含むことを特徴とする、請求項１に記載の通過装置。
【請求項４】
前記感知部は前記通過運動部の回動運動によって吐出される内容物を感知する少なくとも一つの送信部、少なくとも一つの受信部およびセンシング制御部を含むことを特徴とする、請求項１に記載の通過装置。
【請求項５】
前記感知部により検出された内容物情報を保存する保存部をさらに含み、
前記保存部に保存された情報に基づいて内容物の期間別累積吐出量を計算する測定部をさらに含むことを特徴とする、請求項３に記載の通過装置。
【請求項６】
前記センシング制御部は、前記保存部に保存された情報に基づいて前記内容物の期間別累積吐出量が期間別設定量を超過するか足りないかを判断することを特徴とする、請求項５に記載の通過装置。
【請求項７】
前記感知部により検出された内容物情報を有線または無線通信を通じて外部装置に伝送する通信部をさらに含むことを特徴とする、請求項３に記載の通過装置。
【請求項８】
前記感知部は前記通過運動部の回動運動によって吐出される内容物方向に光を放出する少なくとも一つの発光部と、前記発光部から放出された光を受光する少なくとも一つの受光部を含み、
前記発光部から放出された光が前記受光部で設定光量より小さく検出される状態が所定時間の間持続される場合、内容物が通過装置に引っかかった状態であると判断することを特徴とする、請求項１に記載の通過装置。
【請求項９】
前記通過作動部は内容物を通過させるために開放部を形成する固定部材、および内容物を内容物通過手段側に流入案内されるようにする移動案内部を含み、
前記発光部は移動案内部に突出形成される支持部に設置され、通過作動部には発光部から放出された光が通過運動部に放出され得るように貫通部が形成されることを特徴とする、請求項５に記載の通過装置。
【請求項１０】
前記センシング制御部は、内容物によって反射された光の受信が中断されると、前記通過作動部によって内容物が吐出されたものと判断することを特徴とする、請求項３に記載の通過装置。
【請求項１１】
前記感知部は前記通過装置の傾きを感知する傾きセンサをさらに含むものの、前記センシング制御部は前記傾きセンサによって感知したハウジングの傾きが既設定された設定傾き以内である状態で、光量の変化量が設定変化量以上の状態となると内容物が吐出されたものと判断し、前記傾きセンサによって感知したハウジングの傾きが既設定された設定傾きから外れた状態で、光量の変化量が既設定された設定変化量以上の状態となると内容物が吐出されていないものと判断することを特徴とする、請求項３に記載の通過装置。
【請求項１２】
前記センシング制御部は、前記受光部により光量の変化量が既設定された設定変化量以上の状態となった後、光量の変化量が既設定された設定変化量以上に変化する前の状態となると前記通過作動部によって内容物が吐出されたものと判断することを特徴とする、請求項３に記載の通過装置。
【請求項１３】
前記発光部と前記受光部は前記通過運動部を中心に両側にそれぞれ設置されることを特徴とする、請求項３に記載の通過装置。
【請求項１４】
前記センシング制御部は、前記発光部によって発光された後内容物に反射されて前記受光部により受光される光の光量の変化により、前記通過作動部によって内容物が吐出されたものと判断することを特徴とする、請求項３に記載の通過装置。
【請求項１５】
前記センシング制御部は、前記受光部に受光される光量の変化量が前記設定変化量以上であれば前記通過作動部によって内容物が通過したと判断することを特徴とする、請求項３に記載の通過装置。
【請求項１６】
通過装置；
服薬管理サーバー；および
服薬案内端末；を含む服薬管理装置であって、
服薬案内端末は、
感知部から服薬状態情報の伝達を受け服薬管理サーバーから服薬スケジュール情報の伝達を受けて前記服薬スケジュール情報と前記服薬状態情報を利用してユーザーに対する服薬指導情報を生成した後、前記出力部に出力する服薬案内端末制御部；および
服薬案内端末制御部の制御信号に応答して各種情報を出力する出力部；を含むことを特徴とする、服薬管理装置。
【請求項１７】
容器に設置されて、容器の内部にある内容物を既設定された服薬時間に既設定された量だけ定量吐出させてユーザーの定時服薬及び定量服薬を誘導するディスペンサーであって、
前記ディスペンサーは内容物を外部に吐出させつつ、内容物が実際に吐出されるか否かを感知して服薬情報を生成し、前記服薬情報を管理端末または管理サーバーに伝達し、
通過部、センサ部、遮断部、服薬制御部、およびディスペンサー出力部を含み、
通過部は内容物の定量移動を誘導し、
センサ部は通過部を通じて実際に通過される内容物を光または電波を利用して感知し、
服薬制御部はセンサ部によって、内容物を感知したか否かに基づいて感知情報を生成し、生成された感知情報に基づいてユーザーの服薬を管理し、
服薬制御部はディスペンサー出力部を制御してユーザーの定時服薬および定量服薬のための服薬案内情報を出力し、
ディスペンサー出力部はＬＥＤ（Ｌｉｇｈｔ  Ｅｍｉｔｔｉｎｇ  Ｄｉｏｄｅ）またはディスプレイ機器が採用されることを特徴とする、ディスペンサー。
【国際調査報告】
2020528853.tif 000050
2020528853.tif 000051
2020528853.tif 000052
2020528853.tif 000053
2020528853.tif 000054
2020528853.tif 000055
2020528853.tif 000056
2020528853.tif 000057
2020528853.tif 000058
2020528853.tif 000059